(57)【要約】  物体側から像側へと順に、正のパワーを有する第１レンズ群と、負のパワーを有する第２レンズ群と、正のパワーを有する第３レンズ群と、負のパワーを有する第４レンズ群と、負のパワーを有する第５レンズ群と、正のパワーを有する第６レンズ群とを備え、条件：３．５＜｜ｆ６／ｆ２｜＜１５．５（ｆ２：第２レンズ群の焦点距離、ｆ６：第６レンズ群の焦点距離）を満足するズームレンズ系、該ズームレンズ系を含む交換レンズ装置及びカメラシステム。
2015045297.tif 000002
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とを備え、
以下の条件（１）を満足する、ズームレンズ系：
３．５＜｜ｆ６／ｆ２｜＜１５．５  ・・・（１）
ここで、
ｆ２：第２レンズ群の焦点距離、
ｆ６：第６レンズ群の焦点距離
である。
【請求項２】
開口絞りが、前記第２レンズ群と前記第３レンズ群との間に配置されており、撮像時の広角端から望遠端へのズーミングの際に各レンズ群と独立して光軸に沿って移動し、
以下の条件（２）を満足する、請求項１に記載のズームレンズ系：
０．５＜ｄｓＷ/ｆＷ＜１．２  ・・・（２）
ここで、
ｄｓＷ：広角端における開口絞りと第３レンズ群の最物体側との間の光軸上の距離、
ｆＷ：広角端における無限遠合焦状態でのズームレンズ系の焦点距離
である。
【請求項３】
前記第３レンズ群が、物体側から像側へと順に、
正のパワーを有する３Ａ群と、
正のパワーを有する３Ｂ群と、
正のパワーを有する３Ｃ群とからなり、
前記３Ｂ群が、像のぶれを光学的に補正するために光軸に対して垂直方向に移動する像ぶれ補正レンズ群であり、
以下の条件（３）を満足する、請求項１に記載のズームレンズ系：
０．５＜ｆ３Ｃ／ｆ３Ｂ＜６．０  ・・・（３）
ここで、
ｆ３Ｃ：３Ｃ群の焦点距離、
ｆ３Ｂ：３Ｂ群の焦点距離
である。
【請求項４】
前記第４レンズ群が、無限遠合焦状態から近接物体合焦状態へのフォーカシングの際に光軸に沿って像側へ移動するフォーカシングレンズ群であり、
以下の条件（４）を満足する、請求項１に記載のズームレンズ系：
１．０＜β４Ｗ＜２．５  ・・・（４）
ここで、
β４Ｗ：広角端における無限遠合焦状態での第４レンズ群の近軸倍率
である。
【請求項５】
撮像時の広角端から望遠端へのズーミングの際に、前記第２レンズ群が、像側に凸の軌跡を描いて像面に対して移動し、
以下の条件（５）を満足する、請求項１に記載のズームレンズ系：
０．１５＜（ＴｓＷ−ＴｓＭ）/ｆＷ＜１．３０  ・・・（５）
ここで、
ＴｓＷ：広角端における第２レンズ群の最物体側から像面までの光軸上の距離、
ＴｓＭ：中間位置における第２レンズ群の最物体側から像面までの光軸上の距離、
ｆＷ：広角端における無限遠合焦状態でのズームレンズ系の焦点距離
であり、中間位置は、ズームレンズ系が、次式：
【数４】
2015045297.tif 000007
（ここで、
ｆＭ：中間位置における無限遠合焦状態でのズームレンズ系の焦点距離、
ｆＷ：広角端における無限遠合焦状態でのズームレンズ系の焦点距離、
ｆＴ：望遠端における無限遠合焦状態でのズームレンズ系の焦点距離
である）
で規定される焦点距離を有する位置である。
【請求項６】
撮像時の広角端から望遠端へのズーミングの際に、前記第６レンズ群が像面に対して固定されている、請求項１に記載のズームレンズ系。
【請求項７】
前記第５レンズ群が、物体側から像側へと順に、負のパワーを有するレンズ素子と正のパワーを有するレンズ素子とからなる、請求項１に記載のズームレンズ系。
【請求項８】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項９】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、焦点距離を自在に変化させることができる点で人気がある。【０００３】
特許文献１は、正負正負負正の６群構成で、第１レンズ群、第２レンズ群、第４レンズ群及び第５レンズ群を移動させてズーミングを行い、第４レンズ群を像側に移動させてフォーカシングを行うズームレンズ系を開示している。【０００４】
特許文献２は、正負正負負正の６群構成で、全レンズ群及び開口絞りを移動させてズーミングを行い、第２レンズ群のうち物体側レンズ群を移動させてフォーカシングを行うズームレンズを開示している。【０００５】
特許文献３は、正負正負負正の６群構成で、第１レンズ群乃至第３レンズ群、第５レンズ群及び第６レンズ群を移動させてズーミングを行い、第６レンズ群を物体側に移動させてフォーカシングを行う可変焦点距離レンズを開示している。
【先行技術文献】
【特許文献】
【０００６】
【特許文献１】特開２０１２−０４７８１４号公報
【特許文献２】特開２０１３−０２５０８５号公報
【特許文献３】特開２０１０−０３９２７１号公報
【発明の概要】
【発明が解決しようとする課題】
【０００７】
本開示は、高いズーム比を有しながら、全長が短く、偏心敏感度が低く、高い光学性能を有するズームレンズ系を提供する。また本開示は、該ズームレンズ系を含む交換レンズ装置及びカメラシステムを提供する。
【課題を解決するための手段】
【０００８】
本開示におけるズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とを備え、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足する
ことを特徴とする。【０００９】
本開示における交換レンズ装置は、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とを備え、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。【００１０】
本開示におけるカメラシステムは、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とを備え、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１１】
本開示におけるズームレンズ系は、高いズーム比を有しながら、全長が短く、偏心敏感度が低く、高い光学性能を有する。
【図面の簡単な説明】
【００１２】
【図１】図１は、実施の形態１（数値実施例１）に係るズームレンズ系の無限遠合焦状態を示すレンズ配置図である。
【図２】図２は、数値実施例１に係るズームレンズ系の無限遠合焦状態の縦収差図である。
【図３】図３は、数値実施例１に係るズームレンズ系の近接物体合焦状態の縦収差図である。
【図４】図４は、数値実施例１に係るズームレンズ系の望遠端における、像ぶれ補正を行っていない基本状態及び像ぶれ補正状態での横収差図である。
【図５】図５は、実施の形態２（数値実施例２）に係るズームレンズ系の無限遠合焦状態を示すレンズ配置図である。
【図６】図６は、数値実施例２に係るズームレンズ系の無限遠合焦状態の縦収差図である。
【図７】図７は、数値実施例２に係るズームレンズ系の近接物体合焦状態の縦収差図である。
【図８】図８は、数値実施例２に係るズームレンズ系の望遠端における、像ぶれ補正を行っていない基本状態及び像ぶれ補正状態での横収差図である。
【図９】図９は、実施の形態３（数値実施例３）に係るズームレンズ系の無限遠合焦状態を示すレンズ配置図である。
【図１０】図１０は、数値実施例３に係るズームレンズ系の無限遠合焦状態の縦収差図である。
【図１１】図１１は、数値実施例３に係るズームレンズ系の近接物体合焦状態の縦収差図である。
【図１２】図１２は、数値実施例３に係るズームレンズ系の望遠端における、像ぶれ補正を行っていない基本状態及び像ぶれ補正状態での横収差図である。
【図１３】図１３は、実施の形態４（数値実施例４）に係るズームレンズ系の無限遠合焦状態を示すレンズ配置図である。
【図１４】図１４は、数値実施例４に係るズームレンズ系の無限遠合焦状態の縦収差図である。
【図１５】図１５は、数値実施例４に係るズームレンズ系の近接物体合焦状態の縦収差図である。
【図１６】図１６は、数値実施例４に係るズームレンズ系の望遠端における、像ぶれ補正を行っていない基本状態及び像ぶれ補正状態での横収差図である。
【図１７】図１７は、実施の形態５（数値実施例５）に係るズームレンズ系の無限遠合焦状態を示すレンズ配置図である。
【図１８】図１８は、数値実施例５に係るズームレンズ系の無限遠合焦状態の縦収差図である。
【図１９】図１９は、数値実施例５に係るズームレンズ系の近接物体合焦状態の縦収差図である。
【図２０】図２０は、数値実施例５に係るズームレンズ系の望遠端における、像ぶれ補正を行っていない基本状態及び像ぶれ補正状態での横収差図である。
【図２１】図２１は、実施の形態６（数値実施例６）に係るズームレンズ系の無限遠合焦状態を示すレンズ配置図である。
【図２２】図２２は、数値実施例６に係るズームレンズ系の無限遠合焦状態の縦収差図である。
【図２３】図２３は、数値実施例６に係るズームレンズ系の近接物体合焦状態の縦収差図である。
【図２４】図２４は、数値実施例６に係るズームレンズ系の望遠端における、像ぶれ補正を行っていない基本状態及び像ぶれ補正状態での横収差図である。
【図２５】図２５は、実施の形態７（数値実施例７）に係るズームレンズ系の無限遠合焦状態を示すレンズ配置図である。
【図２６】図２６は、数値実施例７に係るズームレンズ系の無限遠合焦状態の縦収差図である。
【図２７】図２７は、数値実施例７に係るズームレンズ系の近接物体合焦状態の縦収差図である。
【図２８】図２８は、数値実施例７に係るズームレンズ系の望遠端における、像ぶれ補正を行っていない基本状態及び像ぶれ補正状態での横収差図である。
【図２９】図２９は、実施の形態８（数値実施例８）に係るズームレンズ系の無限遠合焦状態を示すレンズ配置図である。
【図３０】図３０は、数値実施例８に係るズームレンズ系の無限遠合焦状態の縦収差図である。
【図３１】図３１は、数値実施例８に係るズームレンズ系の近接物体合焦状態の縦収差図である。
【図３２】図３２は、数値実施例８に係るズームレンズ系の望遠端における、像ぶれ補正を行っていない基本状態及び像ぶれ補正状態での横収差図である。
【図３３】図３３は、実施の形態９に係るレンズ交換式デジタルカメラシステムの概略構成図である。
【発明を実施するための形態】
【００１３】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者は、当業者が本開示を充分に理解するために添付図面および以下の説明を提供するのであって、これらによって請求の範囲に記載の主題を限定することを意図するものではない。
【００１５】
（実施の形態１〜８）
図１、５、９、１３、１７、２１、２５及び２９は、各々実施の形態１〜８に係るズームレンズ系のレンズ配置図であり、いずれも無限遠合焦状態にあるズームレンズ系を表している。
【００１６】
各レンズ配置図において、（ａ）図は広角端でのレンズ構成、（ｂ）図は中間位置でのレンズ構成、（ｃ）図は望遠端でのレンズ構成をそれぞれ表している。（ａ）図の広角端とは、最短焦点距離状態を示し、最短焦点距離状態における焦点距離はｆＷである。（ｂ）図の中間位置とは、中間焦点距離状態を示し、中間焦点距離状態における焦点距離ｆＭは、次式で規定される（ｆＷは前記のとおりであり、ｆＴは後述のとおりである）。
【数１】
2015045297.tif 000003
（ｃ）図の望遠端とは、最長焦点距離状態を示し、最長焦点距離状態における焦点距離はｆＴである。また各レンズ配置図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１７】
さらに各図において、レンズ群に付された矢印は、無限遠合焦状態から近接物体合焦状態へのフォーカシングを表す。
【００１８】
すなわち、図１、５、９、１３、１７、２１、２５及び２９では、後述する第４レンズ群Ｇ４が無限遠合焦状態から近接物体合焦状態へのフォーカシングの際に移動する方向を示している。なお、これら図１、５、９、１３、１７、２１、２５及び２９では、（ａ）図に各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００１９】
実施の形態１、２、７及び８に係わるズームレンズ系は、物体側から像側へと順に、正のパワーを有する第１レンズ群Ｇ１と、負のパワーを有する第２レンズ群Ｇ２と、開口絞りのみの絞り群ＧＡと、正のパワーを有する第３レンズ群Ｇ３と、負のパワーを有する第４レンズ群Ｇ４と、負のパワーを有する第５レンズ群Ｇ５と、正のパワーを有する第６レンズ群Ｇ６とを備える。
【００２０】
各実施の形態に係るズームレンズ系では、ズーミングに際して、各レンズ群の間隔、すなわち、第１レンズ群Ｇ１と第２レンズ群Ｇ２との間隔、第２レンズ群Ｇ２と絞り群ＧＡとの間隔、絞り群ＧＡと第３レンズ群Ｇ３との間隔、第３レンズ群Ｇ３と第４レンズ群Ｇ４との間隔、第４レンズ群Ｇ４と第５レンズ群Ｇ５との間隔、及び第５レンズ群Ｇ５と第６レンズ群Ｇ６との間隔がいずれも変化するように、各レンズ群が光軸に沿った方向にそれぞれ移動する。各実施の形態に係るズームレンズ系は、これら各レンズ群を所望のパワー配置にすることにより、大きなズーム比を有しながら、高い光学性能を保持しつつ、レンズ系全体の小型化を可能にしている。
【００２１】
実施の形態３〜６に係わるズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、負のパワーを有する第５レンズ群Ｇ５と、正のパワーを有する第６レンズ群Ｇ６とを備える。
【００２２】
各実施の形態に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、第４レンズ群Ｇ４と第５レンズ群Ｇ５との間隔、及び第５レンズ群Ｇ５と第６レンズ群Ｇ６との間隔がいずれも変化するように、各レンズ群が光軸に沿った方向にそれぞれ移動する。各実施の形態に係るズームレンズ系は、これら各レンズ群を所望のパワー配置にすることにより、大きなズーム比を有しながら、高い光学性能を保持しつつ、レンズ系全体の小型化を可能にしている。
【００２３】
なお、図１、５、９、１３、１７、２１、２５及び２９において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００２４】
さらに、図１、５、２５及び２９に示すように、実施の形態１、２、７及び８に係わるズームレンズ系では、絞り群ＧＡは開口絞りＡのみによって構成されている。また図９、１３、１７及び２１に示すように、実施の形態３〜６に係わるズームレンズ系では、第３レンズ群Ｇ３内、すなわち、第８レンズ素子Ｌ８の物体側に開口絞りＡが設けられている。
【００２５】
（実施の形態１）
図１に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００２６】
第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６と、像側に凸面を向けた負のメニスカス形状の第７レンズ素子Ｌ７とからなる。第５レンズ素子Ｌ５の物体側面及び像側面は非球面である。
【００２７】
絞り群ＧＡは、開口絞りＡのみからなる。
【００２８】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、像側に凸面を向けた正メニスカス形状の第１５レンズ素子Ｌ１５とからなる。これらのうち、第８レンズ素子Ｌ８と第９レンズ素子Ｌ９、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。
【００２９】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００３０】
第４レンズ群Ｇ４は、物体側に凸面を向けた負メニスカス形状の第１６レンズ素子Ｌ１６のみからなる。第１６レンズ素子Ｌ１６の像側面は非球面である。
【００３１】
第５レンズ群Ｇ５は、物体側から像側へと順に、像側に凸面を向けた負メニスカス形状の第１７レンズ素子Ｌ１７と、両凸形状の第１８レンズ素子Ｌ１８とからなる。
【００３２】
第６レンズ群Ｇ６は、像側に凸面を向けた正メニスカス形状の第１９レンズ素子Ｌ１９のみからなる。
【００３３】
実施の形態１に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００３４】
実施の形態１に係るズームレンズ系において、撮像時の広角端から望遠端へのズーミングの際に、第１レンズ群Ｇ１、絞り群ＧＡ、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と絞り群ＧＡとの間隔、及び絞り群ＧＡと第３レンズ群Ｇ３との間隔が減少し、第３レンズ群Ｇ３と第４レンズ群Ｇ４との間隔が変化するように、各レンズ群が光軸に沿ってそれぞれ移動する。
【００３５】
実施の形態１に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００３６】
（実施の形態２）
図５に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００３７】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負のメニスカス形状の第７レンズ素子Ｌ７とからなる。第５レンズ素子Ｌ５の物体側面及び像側面は非球面である。
【００３８】
絞り群ＧＡは、開口絞りＡのみからなる。
【００３９】
第３レンズ群Ｇ３は、物体側から像側へと順に、両凸形状の第８レンズ素子Ｌ８と、像側が平面の平凹形状の第９レンズ素子Ｌ９と、両凸形状の第１０レンズ素子Ｌ１０と、両凹形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、像側に凸面を向けた正メニスカス形状の第１５レンズ素子Ｌ１５とからなる。これらのうち、第８レンズ素子Ｌ８と第９レンズ素子Ｌ９、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。
【００４０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００４１】
第４レンズ群Ｇ４は、物体側に凸面を向けた負メニスカス形状の第１６レンズ素子Ｌ１６のみからなる。第１６レンズ素子Ｌ１６の像側面は非球面である。
【００４２】
第５レンズ群Ｇ５は、物体側から像側へと順に、像側に凸面を向けた負メニスカス形状の第１７レンズ素子Ｌ１７と、両凸形状の第１８レンズ素子Ｌ１８とからなる。
【００４３】
第６レンズ群Ｇ６は、両凸形状の第１９レンズ素子Ｌ１９のみからなる。
【００４４】
実施の形態２に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００４５】
実施の形態２に係るズームレンズ系において、撮像時の広角端から望遠端へのズーミングの際に、第１レンズ群Ｇ１、絞り群ＧＡ、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と絞り群ＧＡとの間隔、及び絞り群ＧＡと第３レンズ群Ｇ３との間隔が減少し、第３レンズ群Ｇ３と第４レンズ群Ｇ４との間隔が変化するように、各レンズ群が光軸に沿ってそれぞれ移動する。
【００４６】
実施の形態２に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００４７】
（実施の形態３）
図９に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００４８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。
【００４９】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、両凸形状の第１５レンズ素子Ｌ１５とからなる。これらのうち、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。第８レンズ素子Ｌ８の物体側には、開口絞りＡが設けられている。
【００５０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００５１】
第４レンズ群Ｇ４は、物体側に凸面を向けた負メニスカス形状の第１６レンズ素子Ｌ１６のみからなる。第１６レンズ素子Ｌ１６の像側面は非球面である。
【００５２】
第５レンズ群Ｇ５は、像側に凸面を向けた負メニスカス形状の第１７レンズ素子Ｌ１７のみからなる。
【００５３】
第６レンズ群Ｇ６は、像側に凸面を向けた正メニスカス形状の第１８レンズ素子Ｌ１８のみからなる。
【００５４】
実施の形態３に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００５５】
実施の形態３に係るズームレンズ系において、撮像時の広角端から望遠端へのズーミングの際に、第１レンズ群Ｇ１、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と第３レンズ群Ｇ３との間隔が減少し、第３レンズ群Ｇ３と第４レンズ群Ｇ４との間隔が変化するように、各レンズ群が光軸に沿ってそれぞれ移動する。
【００５６】
実施の形態３に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００５７】
（実施の形態４）
図１３に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００５８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負のメニスカス形状の第７レンズ素子Ｌ７とからなる。
【００５９】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、両凸形状の第１５レンズ素子Ｌ１５とからなる。これらのうち、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。第８レンズ素子Ｌ８の物体側には、開口絞りＡが設けられている。
【００６０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００６１】
第４レンズ群Ｇ４は、物体側に凸面を向けた負メニスカス形状の第１６レンズ素子Ｌ１６のみからなる。第１６レンズ素子の像側面は非球面である。
【００６２】
第５レンズ群Ｇ５は、像側に凸面を向けた負メニスカス形状の第１７レンズ素子Ｌ１７のみからなる。
【００６３】
第６レンズ群Ｇ６は、像側に凸面を向けた正メニスカス形状の第１８レンズ素子Ｌ１８のみからなる。
【００６４】
実施の形態４に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００６５】
実施の形態４に係るズームレンズ系において、撮像時の広角端から望遠端へのズーミングの際に、第１レンズ群Ｇ１、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と第３レンズ群Ｇ３との間隔が減少し、第３レンズ群Ｇ３と第４レンズ群Ｇ４との間隔が変化するように、各レンズ群が光軸に沿ってそれぞれ移動する。
【００６６】
実施の形態４に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００６７】
（実施の形態５）
図１７に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００６８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負のメニスカス形状の第７レンズ素子Ｌ７とからなる。
【００６９】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、像側に凸面を向けた正メニスカス形状の第１５レンズ素子Ｌ１５とからなる。これらのうち、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。第８レンズ素子Ｌ８の物体側には、開口絞りＡが設けられている。
【００７０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００７１】
第４レンズ群Ｇ４は、物体側に凸面を向けた負メニスカス形状の第１６レンズ素子Ｌ１６のみからなる。第１６レンズ素子の像側面は非球面である。
【００７２】
第５レンズ群Ｇ５は、像側に凸面を向けた負メニスカス形状の第１７レンズ素子Ｌ１７のみからなる。
【００７３】
第６レンズ群Ｇ６は、像側に凸面を向けた正メニスカス形状の第１８レンズ素子Ｌ１８のみからなる。
【００７４】
実施の形態５に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００７５】
実施の形態５に係るズームレンズ系において、撮像時の広角端から望遠端へのズーミングの際に、第１レンズ群Ｇ１、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と第３レンズ群Ｇ３との間隔が減少し、第３レンズ群Ｇ３と第４レンズ群Ｇ４との間隔が変化するように、各レンズ群が光軸に沿ってそれぞれ移動する。
【００７６】
実施の形態５に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００７７】
（実施の形態６）
図２１に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００７８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負のメニスカス形状の第７レンズ素子Ｌ７とからなる。
【００７９】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、両凸形状の第１５レンズ素子Ｌ１５とからなる。これらのうち、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。第８レンズ素子Ｌ８の物体側には、開口絞りＡが設けられている。
【００８０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００８１】
第４レンズ群Ｇ４は、物体側に凸面を向けた負メニスカス形状の第１６レンズ素子Ｌ１６のみからなる。第１６レンズ素子の像側面は非球面である。
【００８２】
第５レンズ群Ｇ５は、像側に凸面を向けた負メニスカス形状の第１７レンズ素子Ｌ１７のみからなる。
【００８３】
第６レンズ群Ｇ６は、像側に凸面を向けた正メニスカス形状の第１８レンズ素子Ｌ１８のみからなる。
【００８４】
実施の形態６に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００８５】
実施の形態６に係るズームレンズ系において、撮像時の広角端から望遠端へのズーミングの際に、第１レンズ群Ｇ１、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と第３レンズ群Ｇ３との間隔が減少し、第３レンズ群Ｇ３と第４レンズ群Ｇ４との間隔が変化するように、各レンズ群が光軸に沿ってそれぞれ移動する。
【００８６】
実施の形態６に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する
【００８７】
（実施の形態７）
図２５に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００８８】
第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６と、像側に凸面を向けた負のメニスカス形状の第７レンズ素子Ｌ７とからなる。第４レンズ素子Ｌ４の物体側面及び像側面は非球面である。
【００８９】
絞り群ＧＡは、開口絞りＡのみからなる。
【００９０】
第３レンズ群Ｇ３は、物体側から像側へと順に、物体側に凸面を向けた正メニスカス形状の第８レンズ素子Ｌ８と、両凹形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、両凸形状の第１４レンズ素子Ｌ１４とからなる。これらのうち、第１１レンズ素子Ｌ１１と第１２レンズ素子Ｌ１２とは接合されている。第９レンズ素子Ｌ９の像側面、並びに第１３レンズ素子Ｌ１３の物体側面及び像側面は非球面である。
【００９１】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３が３Ｂ群に、第１４レンズ素子Ｌ１４が３Ｃ群に相当する。
【００９２】
第４レンズ群Ｇ４は、物体側に凸面を向けた負メニスカス形状の第１５レンズ素子Ｌ１５のみからなる。
【００９３】
第５レンズ群Ｇ５は、両凹形状の第１６レンズ素子Ｌ１６のみからなる。
【００９４】
第６レンズ群Ｇ６は、両凸形状の第１７レンズ素子Ｌ１７のみからなる。第１７レンズ素子Ｌ１７の物体側面及び像側面は非球面である。
【００９５】
実施の形態７に係るズームレンズ系では、第３レンズ群Ｇ３中の３Ｂ群である第１３レンズ素子Ｌ１３が、後述する、像のぶれを光学的に補正するために光軸に対して垂直方向に移動する像ぶれ補正レンズ群に相当する。
【００９６】
実施の形態７に係るズームレンズ系において、撮像時の広角端から望遠端へのズーミングの際に、第１レンズ群Ｇ１、絞り群ＧＡ、第３レンズ群Ｇ３、第４レンズ群Ｇ４及び第５レンズ群Ｇ５は、物体側へ単調に移動し、第２レンズ群Ｇ２は、像側に僅かに凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と絞り群ＧＡとの間隔、及び絞り群ＧＡと第３レンズ群Ｇ３との間隔が減少し、第３レンズ群Ｇ３と第４レンズ群Ｇ４との間隔が変化するように、各レンズ群が光軸に沿ってそれぞれ移動する。
【００９７】
実施の形態７に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００９８】
（実施の形態８）
図２９に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００９９】
第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６と、像側に凸面を向けた負のメニスカス形状の第７レンズ素子Ｌ７とからなる。第４レンズ素子Ｌ４の物体側面及び像側面は非球面である。
【０１００】
絞り群ＧＡは、開口絞りＡのみからなる。
【０１０１】
第３レンズ群Ｇ３は、物体側から像側へと順に、物体側に凸面を向けた正メニスカス形状の第８レンズ素子Ｌ８と、両凹形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、両凸形状の第１４レンズ素子Ｌ１４とからなる。これらのうち、第１１レンズ素子Ｌ１１と第１２レンズ素子Ｌ１２とは接合されている。第９レンズ素子Ｌ９の像側面、並びに第１３レンズ素子Ｌ１３の物体側面及び像側面は非球面である。
【０１０２】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３が３Ｂ群に、第１４レンズ素子Ｌ１４が３Ｃ群に相当する。
【０１０３】
第４レンズ群Ｇ４は、物体側に凸面を向けた負メニスカス形状の第１５レンズ素子Ｌ１５のみからなる。
【０１０４】
第５レンズ群Ｇ５は、像側に凸面を向けた負メニスカス形状の第１６レンズ素子Ｌ１６のみからなる。
【０１０５】
第６レンズ群Ｇ６は、両凸形状の第１７レンズ素子Ｌ１７のみからなる。第１７レンズ素子Ｌ１７の物体側面及び像側面は非球面である。
【０１０６】
実施の形態８に係るズームレンズ系では、第３レンズ群Ｇ３中の３Ｂ群である第１３レンズ素子Ｌ１３が、後述する、像のぶれを光学的に補正するために光軸に対して垂直方向に移動する像ぶれ補正レンズ群に相当する。
【０１０７】
実施の形態８に係るズームレンズ系において、撮像時の広角端から望遠端へのズーミングの際に、第１レンズ群Ｇ１、絞り群ＧＡ、第３レンズ群Ｇ３、第４レンズ群Ｇ４及び第５レンズ群Ｇ５は、物体側へ単調に移動し、第２レンズ群Ｇ２は、像側に僅かに凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔。及び第５レンズ群Ｇ５と第６レンズ群Ｇ６との間隔が増加し、第２レンズ群Ｇ２と絞り群ＧＡとの間隔、及び絞り群ＧＡと第３レンズ群Ｇ３との間隔が減少し、第３レンズ群Ｇ３と第４レンズ群Ｇ４との間隔が変化するように、各レンズ群が光軸に沿ってそれぞれ移動する。
【０１０８】
実施の形態８に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【０１０９】
実施の形態１〜８に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、負のパワーを有する第５レンズ群Ｇ５と、正のパワーを有する第６レンズ群Ｇ６とで構成されているので、各ズーミング状態で高い光学性能を有することができるという利点がある。
【０１１０】
実施の形態１、２、７及び８に係るズームレンズ系では、開口絞りＡが第２レンズ群Ｇ２と第３レンズ群Ｇ３との間に配置されており、撮像時の広角端から望遠端へのズーミングの際に、各レンズ群と独立して光軸に沿って移動するので、第１レンズ群Ｇ１の小型化が可能であるという利点がある。
【０１１１】
実施の形態１〜８に係るズームレンズ系は、像の位置を光軸に対して直交する方向に移動するために、光軸に対して直交する方向に移動する像ぶれ補正レンズ群を備えている。この像ぶれ補正レンズ群により、全系の振動による像点移動を補正する、すなわち、手ぶれ、振動等による像のぶれを光学的に補正することができる。
【０１１２】
全系の振動による像点移動を補正する際に、このように像ぶれ補正レンズ群が光軸に対して直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【０１１３】
なお、像ぶれ補正レンズ群は、１つのレンズ群であってもよく、１つのレンズ群が複数のレンズ素子で構成される場合、該複数のレンズ素子のうち、いずれか１枚のレンズ素子又は隣り合った複数のレンズ素子であってもよい。
【０１１４】
実施の形態１〜８に係るズームレンズ系では、第３レンズ群Ｇ３が、物体側から像側へと順に、正のパワーを有する３Ａ群と、正のパワーを有する３Ｂ群と、正のパワーを有する３Ｃ群とからなり、該３Ｂ群が、像のぶれを光学的に補正するために光軸に対して垂直方向に移動する像ぶれ補正レンズ群であるので、該３Ｂ群、すなわち像ぶれ補正レンズ群のチルト誤差が発生した場合の収差の発生を小さくすることができ、製造が容易になるという利点がある。
【０１１５】
実施の形態１〜８に係るズームレンズ系では、第４レンズ群Ｇ４が、無限遠合焦状態から近接物体合焦状態へのフォーカシングの際に光軸に沿って像側へ移動するフォーカシングレンズ群であるので、外径を小さくすることができ、レンズ群の軽量化が可能になる。これにより、小型のアクチュエータを用いることが可能になり、フォーカシングレンズ群の移動を高速化することができるという利点がある。
【０１１６】
実施の形態１〜８に係るズームレンズ系では、撮像時の広角端から望遠端へのズーミングの際に、第２レンズ群Ｇ２が像側に凸の軌跡を描いて像面Ｓに対して移動するので、中間焦点距離における諸収差、特にコマ収差及び球面収差を良好に補正することができるという利点がある。
【０１１７】
実施の形態１〜８に係るズームレンズ系では、撮像時の広角端から望遠端へのズーミングの際に、第６レンズ群Ｇ６が像面Ｓに対して固定されているので、埃等の塵がレンズ系へ浸入するのを防ぐことができる。
【０１１８】
実施の形態１及び２に係るズームレンズ系では、第５レンズ群Ｇ５が、物体側から像側へと順に、負のパワーを有するレンズ素子と正のパワーを有するレンズ素子とからなるので、特に望遠端での球面収差を良好に補正することができる。
【０１１９】
以上のように、本出願において開示する技術の例示として、実施の形態１〜８を説明した。しかしながら、本開示における技術は、これに限定されず、適宜、変更、置き換え、付加、省略などを行った実施の形態にも適用可能である。
【０１２０】
以下、例えば実施の形態１〜８に係るズームレンズ系のごときズームレンズ系が満足することが有益な条件を説明する。なお、各実施の形態に係るズームレンズ系に対して、複数の有益な条件が規定されるが、これら複数の条件すべてを満足するズームレンズ系の構成が最も有益である。しかしながら、個別の条件を満足することにより、それぞれ対応する効果を奏するズームレンズ系を得ることも可能である。
【０１２１】
例えば実施の形態１〜８に係るズームレンズ系のように、物体側から像側へと順に、正のパワーを有する第１レンズ群と、負のパワーを有する第２レンズ群と、正のパワーを有する第３レンズ群と、負のパワーを有する第４レンズ群と、負のパワーを有する第５レンズ群と、正のパワーを有する第６レンズ群とを備える（以下、このレンズ構成を、実施の形態の基本構成という）ズームレンズ系は、以下の条件（１）を満足する。
３．５＜｜ｆ６／ｆ２｜＜１５．５  ・・・（１）
ここで、
ｆ２：第２レンズ群の焦点距離、
ｆ６：第６レンズ群の焦点距離
である。
【０１２２】
前記条件（１）は、第２レンズ群の焦点距離と第６レンズ群の焦点距離を規定する条件である。条件（１）の下限を下回ると、レンズ系の全長が長くなってしまう。逆に条件（１）の上限を上回ると、第２レンズ群の偏心時の収差敏感度が高くなり、製造難度が上昇してしまう。また、周辺部の像面へ入射する光線の角度が大きくなりすぎ、シェーディングが起こってしまう。
【０１２３】
以下の条件（１）’及び（１）’’の少なくとも１つを満足することにより、前記効果をさらに奏功させることができる。
３．６＜｜ｆ６／ｆ２｜  ・・・（１）’
｜ｆ６／ｆ２｜＜７．５  ・・・（１）’’
【０１２４】
例えば実施の形態１、２、７及び８に係るズームレンズ系のように、基本構成を有し、開口絞りが、第２レンズ群と第３レンズ群との間に配置されており、撮像時の広角端から望遠端へのズーミングの際に各レンズ群と独立して光軸に沿って移動するズームレンズ系は、以下の条件（２）を満足することが有益である。
０．５＜ｄｓＷ/ｆＷ＜１．２  ・・・（２）
ここで、
ｄｓＷ：広角端における開口絞りと第３レンズ群の最物体側との間の光軸上の距離、
ｆＷ：広角端における無限遠合焦状態でのズームレンズ系の焦点距離
である。
【０１２５】
前記条件（２）は、広角端における開口絞りと第３レンズ群との間の距離を規定する条件である。条件（２）の下限を下回ると、開口絞りと第１レンズ群との間の距離が大きくなり、第１レンズ群の径が大きくなってしまう。逆に条件（２）の上限を上回ると、開口絞りと第３レンズ群との間の距離が大きくなり、第３レンズ群の径が大きくなってしまう。
【０１２６】
以下の条件（２）’及び（２）’’の少なくとも１つを満足することにより、前記効果をさらに奏功させることができる。
０．６＜ｄｓＷ/ｆＷ  ・・・（２）’
ｄｓＷ/ｆＷ＜１．０  ・・・（２）’’
【０１２７】
例えば実施の形態１〜８に係るズームレンズ系のように、基本構成を有し、第３レンズ群が、物体側から像側へと順に、正のパワーを有する３Ａ群と、正のパワーを有する３Ｂ群と、正のパワーを有する３Ｃ群とからなり、該３Ｂ群が、像のぶれを光学的に補正するために光軸に対して垂直方向に移動する像ぶれ補正レンズ群であるズームレンズ系は、以下の条件（３）を満足することが有益である。
０．５＜ｆ３Ｃ／ｆ３Ｂ＜６．０  ・・・（３）
ここで、
ｆ３Ｃ：３Ｃ群の焦点距離、
ｆ３Ｂ：３Ｂ群の焦点距離
である。
【０１２８】
前記条件（３）は、３Ｃ群の焦点距離と３Ｂ群の焦点距離を規定する条件である。条件（３）の下限を下回ると、像ぶれ補正の際に、３Ｂ群の移動量が大きくなってしまう。逆に条件（３）の上限を上回ると、像ぶれ補正の際に、収差発生量が大きくなってしまう。
【０１２９】
以下の条件（３）’及び（３）’’の少なくとも１つを満足することにより、前記効果をさらに奏功させることができる。
０．８＜ｆ３Ｃ／ｆ３Ｂ  ・・・（３）’
ｆ３Ｃ／ｆ３Ｂ＜５．０  ・・・（３）’’
【０１３０】
例えば実施の形態１〜８に係るズームレンズ系のように、基本構成を有し、第４レンズ群が、無限遠合焦状態から近接物体合焦状態へのフォーカシングの際に光軸に沿って像側へ移動するフォーカシングレンズ群であるズームレンズ系は、以下の条件（４）を満足することが有益である。
１．０＜β４Ｗ＜２．５  ・・・（４）
ここで、
β４Ｗ：広角端における無限遠合焦状態での第４レンズ群の近軸倍率
である。
【０１３１】
前記条件（４）は、広角端における無限遠合焦状態での第４レンズ群の近軸倍率を規定する条件である。条件（４）の下限を下回ると、フォーカシングの際に、第４レンズ群の移動量が増大し、レンズ系の全長が長くなってしまう。逆に条件（４）の上限を上回ると、フォーカシングの際に、収差が大きく発生してしまう。
【０１３２】
以下の条件（４）’及び（４）’’の少なくとも１つを満足することにより、前記効果をさらに奏功させることができる。
１．３＜β４Ｗ  ・・・（４）’
β４Ｗ＜２．１  ・・・（４）’’
【０１３３】
例えば実施の形態１〜８に係るズームレンズ系のように、基本構成を有し、撮像時の広角端から望遠端へのズーミングの際に、第２レンズ群が、像側に凸の軌跡を描いて像面に対して移動するズームレンズ系は、以下の条件（５）を満足することが有益である。
０．１５＜（ＴｓＷ−ＴｓＭ）/ｆＷ＜１．３０  ・・・（５）
ここで、
ＴｓＷ：広角端における第２レンズ群の最物体側から像面までの光軸上の距離、
ＴｓＭ：中間位置における第２レンズ群の最物体側から像面までの光軸上の距離、
ｆＷ：広角端における無限遠合焦状態でのズームレンズ系の焦点距離
であり、中間位置は、ズームレンズ系が、次式：
【数２】
2015045297.tif 000004
（ここで、
ｆＭ：中間位置における無限遠合焦状態でのズームレンズ系の焦点距離、
ｆＷ：広角端における無限遠合焦状態でのズームレンズ系の焦点距離、
ｆＴ：望遠端における無限遠合焦状態でのズームレンズ系の焦点距離
である）
で規定される焦点距離を有する位置である。
【０１３４】
前記条件（５）は、広角端における第２レンズ群の最物体側から像面までの距離と中間位置における第２レンズ群の最物体側から像面までの距離との差を規定する条件である。条件（５）の下限を下回ると、中間位置においてコマ収差が発生してしまう。逆に上限（５）の上限を上回ると、中間位置において球面収差が発生してしまう。
【０１３５】
以下の条件（５）’及び（５）’’の少なくとも１つを満足することにより、前記効果をさらに奏功させることができる。
０．２０＜（ＴｓＷ−ＴｓＭ）/ｆＷ  ・・・（５）’
（ＴｓＷ−ＴｓＭ）/ｆＷ＜１．１０  ・・・（５）’’
【０１３６】
実施の形態１〜８に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１３７】
（実施の形態９）
図３３は、実施の形態９に係るレンズ交換式デジタルカメラシステムの概略構成図である。
【０１３８】
本実施の形態９に係るレンズ交換式デジタルカメラシステム１００は、カメラ本体１０１と、カメラ本体１０１に着脱自在に接続される交換レンズ装置２０１とを備える。
【０１３９】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜８いずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図３３においては、ズームレンズ系２０２として実施の形態１に係るズームレンズ系を用いた場合を図示している。
【０１４０】
本実施の形態９では、実施の形態１〜８いずれかに係るズームレンズ系２０２を用いているので、コンパクトで結像性能に優れた交換レンズ装置を低コストで実現することができる。また、本実施の形態９に係るカメラシステム１００全体の小型化及び低コスト化も達成することができる。なお、これら実施の形態１〜８に係るズームレンズ系は、全てのズーミング域を使用する必要はない。すなわち、所望のズーミング域に応じて、光学性能が確保されている範囲を切り出し、以下の対応する数値実施例１〜８で説明するズームレンズ系よりも低倍率のズームレンズ系として使用してもよい。
【０１４１】
以上のように、本出願において開示する技術の例示として、実施の形態９を説明した。しかしながら、本開示における技術は、これに限定されず、適宜、変更、置き換え、付加、省略などを行った実施の形態にも適用可能である。
【０１４２】
以下、実施の形態１〜８に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数３】
2015045297.tif 000005
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１４３】
図２、６、１０、１４、１８、２２、２６及び３０は、各々数値実施例１〜８に係るズームレンズ系の無限遠合焦状態の縦収差図である。
【０１４４】
図３、７、１１、１５、１９、２３、２７及び３１は、各々数値実施例１〜８に係るズームレンズ系の近接物体合焦状態の縦収差図である。なお、各数値実施例における物体距離は、以下に示すとおりである。
数値実施例１    １０００ｍｍ
数値実施例２    １０００ｍｍ
数値実施例３    １０００ｍｍ
数値実施例４    １０００ｍｍ
数値実施例５    １０００ｍｍ
数値実施例６    １０００ｍｍ
数値実施例７      ５００ｍｍ
数値実施例８      ５００ｍｍ
【０１４５】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１４６】
図４、８、１２、１６、２０、２４、２８及び３２は、各々数値実施例１〜８に係るズームレンズ系の望遠端における横収差図である。
【０１４７】
各横収差図において、上段３つの収差図は、望遠端における像ぶれ補正を行っていない基本状態、下段３つの収差図は、前記３Ｂ群である像ぶれ補正レンズ群（数値実施例１〜６：第３レンズ群Ｇ３の第１３レンズ素子Ｌ１３及び第１４レンズ素子Ｌ１４、数値実施例７、８：第３レンズ群Ｇ３の第１３レンズ素子Ｌ１３）を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と、第３レンズ群Ｇ３の光軸とを含む平面としている。
【０１４８】
なお、各数値実施例のズームレンズ系について、望遠端における、像ぶれ補正状態での像ぶれ補正レンズ群の光軸と垂直な方向への移動量は、以下に示すとおりである。
数値実施例１    ０．４１２９ｍｍ
数値実施例２    ０．４１２５ｍｍ
数値実施例３    ０．４８３７ｍｍ
数値実施例４    ０．５６８１ｍｍ
数値実施例５    ０．４３２９ｍｍ
数値実施例６    ０．５９１９ｍｍ
数値実施例７    ０．１７９３ｍｍ
数値実施例８    ０．１９１５ｍｍ
【０１４９】
撮影距離が∞で望遠端において、ズームレンズ系が所定の角度だけ傾いた場合の像偏心量は、像ぶれ補正レンズ群が光軸と垂直な方向に上記の各値だけ平行移動するときの像偏心量に等しい。
【０１５０】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、所定の角度までの像ぶれ補正角に対して、結像特性を低下させることなく充分な像ぶれ補正を行うことが可能である。
【０１５１】
（数値実施例１）
数値実施例１のズームレンズ系は、図１に示した実施の形態１に対応する。数値実施例１のズームレンズ系の面データを表１に、非球面データを表２に、無限遠合焦状態での各種データを表３に、近接物体合焦状態での各種データを表４に示す。
【０１５２】
表  １（面データ）
面番号          r            d           nd         vd                
物面             ∞                                               
1        105.35210     1.80000     1.69895    30.0               
2         62.64560     6.20090     1.43700    95.1               
3       -397.51920     0.20000                                   
4         63.82360     3.94270     1.59282    68.6               
5        201.71420        可変                                   
6         96.51260     1.00000     1.88300    40.8               
7         12.47840     7.33480                                   
8*       -28.06390     1.00000     1.77200    50.0               
9*       -98.31310     0.20000                                   
10         91.98080     2.89590     1.92286    20.9               
11        -32.50140     1.76260                                   
12        -17.06200     0.70000     1.77250    49.6               
13        -38.50660        可変                                   
14(絞り)           ∞        可変                                   
15         16.77610     3.39390     1.58144    40.9               
16       5986.57370     0.80000     1.77200    50.0               
17*       491.25280     1.55850                                   
18         51.84430     3.43290     1.49700    81.6               
19        -26.05530     0.65520                                   
20        522.12710     0.60910     1.90366    31.3               
21         12.88130     2.17700     1.51680    64.2               
22         24.55750     0.90310                                   
23*        21.25310     5.21900     1.52500    70.3               
24        -14.39430     0.60000     1.59551    39.2               
25        -31.37740     1.21060                                   
26       -634.59720     1.77180     1.51823    59.0               
27        -29.06530        可変                                   
28         51.73670     0.60000     1.55332    71.7               
29*        11.83360        可変                                   
30        -15.97280     0.60000     1.77250    49.6               
31        -36.84410     0.20000                                   
32        112.03320     1.36430     1.72825    28.3               
33       -129.48670        可変                                   
34       -133.45960     2.39610     1.74950    35.0               
35        -35.08460        (BF)                                   
像面             ∞                                               
【０１５３】
表  ２（非球面データ）
第8面
K= 0.00000E+00, A4= 5.51279E-05, A6=-5.81384E-07, A8=-1.58186E-10 
A10= 9.96757E-13 
第9面
K= 0.00000E+00, A4= 2.18841E-05, A6=-6.64572E-07, A8= 0.00000E+00 
A10= 0.00000E+00 
第17面
K= 0.00000E+00, A4= 5.30316E-05, A6= 2.63684E-08, A8= 4.12965E-10 
A10=-2.28732E-12 
第23面
K= 0.00000E+00, A4=-2.98927E-05, A6=-1.45365E-08, A8= 0.00000E+00 
A10= 0.00000E+00 
第29面
K= 0.00000E+00, A4=-2.83493E-05, A6= 1.25456E-07, A8=-8.37230E-09 
A10= 8.44871E-11 
【０１５４】
表  ３（無限遠合焦状態での各種データ）
ズーム比    19.23083
広角      中間      望遠
焦点距離      12.4800   54.7239  240.0000
Ｆナンバー     3.64038   5.72029   6.55288
画角        44.1636   10.8531    2.5897
像高        10.8150   10.8150   10.8150
レンズ全長    113.7994  137.2772  188.7954
ＢＦ       14.50800  14.50800  14.50800
d5           0.4500   31.9868   67.2115 
d13         23.9411    6.2476    1.0000 
d14         11.8655    1.5000    1.5000 
d27          1.8889    6.8936    1.6020 
d29          6.1681    6.9778   13.0755 
d33          0.4500   14.6346   35.3696 
ズームレンズ群データ
群    始面      焦点距離
1       1     101.14497
2       6     -14.45218
3      15      19.47259
4      28     -27.87827
5      30     -68.61370
6      34      62.84949
【０１５５】
表  ４（近接物体合焦状態での各種データ）
物体距離      1000.0000 1000.0000 1000.0000
ＢＦ       14.50800  14.50800  14.50800
d5           0.4500   31.9868   67.2115 
d13         23.9411    6.2476    1.0000 
d14         11.8655    1.5000    1.5000 
d27          1.9528    7.4848    5.5517 
d29          6.1041    6.3866    9.1257 
d33          0.4500   14.6346   35.3696 
【０１５６】
（数値実施例２）
数値実施例２のズームレンズ系は、図５に示した実施の形態２に対応する。数値実施例２のズームレンズ系の面データを表５に、非球面データを表６に、無限遠合焦状態での各種データを表７に、近接物体合焦状態での各種データを表８に示す。
【０１５７】
表  ５（面データ）
面番号         r           d           nd         vd                
物面             ∞                                               
1         98.25810     1.80000     1.69895    30.0               
2         59.66840     6.56190     1.43700    95.1               
3       -497.63180     0.20000                                   
4         62.48830     3.90980     1.59282    68.6               
5        193.23860        可変                                   
6         57.75970     1.00000     1.88300    40.8               
7         12.27720     7.44040                                   
8*       -29.38520     1.00000     1.80998    40.9               
9*       101.00250     0.20000                                   
10         51.10010     3.22380     1.92286    20.9               
11        -33.53880     1.46470                                   
12        -17.82810     0.70000     1.80420    46.5               
13        -37.05810        可変                                   
14(絞り)           ∞        可変                                   
15         17.58940     6.00610     1.59551    39.2               
16       -409.18210     0.80000     1.80998    40.9               
17*              ∞     1.49060                                   
18         57.25350     2.87510     1.49700    81.6               
19        -24.43040     0.11870                                   
20       -114.55590     0.60000     1.90366    31.3               
21         14.85000     2.14990     1.51823    59.0               
22         36.70930     0.51870                                   
23*        22.37060     4.81650     1.52500    70.3               
24        -15.29860     0.60000     1.60342    38.0               
25        -32.69940     1.29390                                   
26       -570.97450     1.81540     1.51742    52.1               
27        -26.91010        可変                                   
28         71.88050     0.60000     1.55332    71.7               
29*        11.91810        可変                                   
30        -17.11980     0.60000     1.72916    54.7               
31        -39.95540     0.20000                                   
32         42.94640     1.82980     1.90366    31.3               
33      -1119.37220        可変                                   
34        369.32240     1.33980     1.48749    70.4               
35       -136.08810        (BF)                                   
像面             ∞                                               
【０１５８】
表  ６（非球面データ）
第8面
K= 0.00000E+00, A4= 1.31872E-05, A6=-1.60235E-07, A8=-1.01682E-09 
A10= 7.24155E-12 
第9面
K= 0.00000E+00, A4=-7.53265E-06, A6=-2.33663E-07, A8= 0.00000E+00 
A10= 0.00000E+00 
第17面
K= 0.00000E+00, A4= 5.41837E-05, A6= 5.53098E-08, A8= 8.28082E-11 
A10=-3.39798E-13 
第23面
K= 0.00000E+00, A4=-2.79144E-05, A6=-8.65744E-09, A8= 0.00000E+00 
A10= 0.00000E+00 
第29面
K= 0.00000E+00, A4=-3.35207E-05, A6= 2.37928E-08, A8=-5.65197E-09 
A10= 4.49193E-11 
【０１５９】
表  ７（無限遠合焦状態での各種データ）
ズーム比    19.23081
広角      中間      望遠
焦点距離      12.4801   54.7286  240.0022
Ｆナンバー     3.64042   5.72066   6.55290
画角        44.0328   10.9710    2.5801
像高        10.8150   10.8150   10.8150
レンズ全長    118.3307  135.8904  193.1763
ＢＦ       13.70000  13.70000  13.70000
d5           0.4500   31.3121   65.8955 
d13         26.2890    4.8992    0.9999 
d14         10.7267    1.5040    1.5000 
d27          1.5985    8.2555    1.6011 
d29          9.9609   10.1444   14.5932 
d33          0.4499   10.9193   39.7302 
ズームレンズ群データ
群    始面      焦点距離
1       1     100.00599
2       6     -13.61143
3      15      19.39662
4      28     -25.91280
5      30    -557.53071
6      34     204.17083
【０１６０】
表  ８（近接物体合焦状態での各種データ）
物体距離      1000.0000 1000.0000 1000.0000
ＢＦ       13.70000  13.70000  13.70000
d5           0.4500   31.3121   65.8955 
d13         26.2890    4.8992    0.9999 
d14         10.7267    1.5040    1.5000 
d27          1.6501    8.8523    5.2336 
d29          9.9094    9.5476   10.9608 
d33          0.4499   10.9193   39.7302
【０１６１】
（数値実施例３）
数値実施例３のズームレンズ系は、図９に示した実施の形態３に対応する。数値実施例３のズームレンズ系の面データを表９に、非球面データを表１０に、無限遠合焦状態での各種データを表１１に、近接物体合焦状態での各種データを表１２に示す。
【０１６２】
表  ９（面データ）
面番号         r           d           nd         vd                
物面             ∞                                               
1         95.87260     1.80000     1.68893    31.2               
2         56.46380     6.11150     1.49700    81.6               
3       -499.07370     0.20000                                   
4         62.87330     3.61620     1.49700    81.6               
5        190.29600        可変                                   
6         48.94690     1.00000     1.88300    40.8               
7         13.94830     6.25190                                   
8        -46.93480     0.70000     1.83481    42.7               
9         62.72270     0.20000                                   
10         28.83120     2.90590     1.94595    18.0               
11       -193.36590     2.02880                                   
12        -21.49080     0.70000     1.80420    46.5               
13        -62.23230        可変                                   
14(絞り)           ∞     1.50000                                   
15         15.74690     1.40400     1.92286    20.9               
16         22.24900     0.67690                                   
17         45.70860     0.80000     1.80998    40.9               
18*        31.15860     0.20000                                   
19         16.97020     3.42900     1.48749    70.4               
20        -44.43150     0.20000                                   
21         39.75760     0.60000     1.80518    25.5               
22         10.93730     2.05360     1.48749    70.4               
23         18.67200     1.53440                                   
24*        24.14370     4.60660     1.52500    70.3               
25        -15.41210     0.60000     1.56732    42.8               
26        -37.60110     1.47800                                   
27        102.87280     1.82000     1.51823    59.0               
28        -30.17850        可変                                   
29         72.46470     0.70000     1.52500    70.3               
30*        12.83920        可変                                   
31        -14.96970     0.70000     1.59282    68.6               
32        -26.84930        可変                                   
33        -99.78090     3.12200     1.71736    29.5               
34        -31.86000        (BF)                                   
像面             ∞                                               
【０１６３】
表  １０（非球面データ）
第18面
K= 0.00000E+00, A4= 4.95875E-05, A6= 9.01806E-08, A8=-2.48303E-10 
A10= 4.55887E-12 
第24面
K= 0.00000E+00, A4=-2.41997E-05, A6= 0.00000E+00, A8= 0.00000E+00 
A10= 0.00000E+00 
第30面
K= 0.00000E+00, A4=-2.17117E-05, A6=-9.96190E-08, A8= 0.00000E+00 
A10= 0.00000E+00 
【０１６４】
表  １１（無限遠合焦状態での各種データ）
ズーム比    16.48339
広角      中間      望遠
焦点距離      14.5600   59.1134  239.9977
Ｆナンバー     3.64005   5.72043   6.55272
画角        39.7670   10.0946    2.5655
像高        10.8150   10.8150   10.8150
レンズ全長    110.0003  136.5146  180.0000
ＢＦ       18.81900  18.81900  18.81900
d5           0.4500   30.3728   64.1617 
d13         31.3272    7.5758    1.0000 
d28          1.5536    6.2259    1.6000 
d30          6.4616    6.9293   13.9918 
d32          0.4500   15.6534   29.4894 
ズームレンズ群データ
群    始面      焦点距離
1       1      99.70766
2       6     -14.35792
3      14      18.25371
4      29     -29.84199
5      31     -58.35108
6      33      64.01667
【０１６５】
表  １２（近接物体合焦状態での各種データ）
物体距離      1000.0000 1000.0000 1000.0000
ＢＦ       18.81900  18.81900  18.81900
d5           0.4500   30.3728   64.1617 
d13         31.3272    7.5758    1.0000 
d28          1.6277    6.8570    6.2063 
d30          6.3875    6.2982    9.3854 
d32          0.4500   15.6534   29.4894
【０１６６】
（数値実施例４）
数値実施例４のズームレンズ系は、図１３に示した実施の形態４に対応する。数値実施例４のズームレンズ系の面データを表１３に、非球面データを表１４に、無限遠合焦状態での各種データを表１５に、近接物体合焦状態での各種データを表１６に示す。
【０１６７】
表  １３（面データ）
面番号         r           d           nd         vd                
物面             ∞                                               
1         95.96630     1.80000     1.68893    31.2               
2         56.87540     6.84810     1.49700    81.6               
3       -523.57190     0.20000                                   
4         64.07260     3.68230     1.49700    81.6               
5        192.74060        可変                                   
6         45.16420     1.00000     1.88300    40.8               
7         14.36030     6.92730                                   
8        -44.64470     0.70000     1.83481    42.7               
9         53.96410     0.20000                                   
10         29.61670     3.15930     1.94595    18.0               
11       -140.89780     2.83350                                   
12        -20.59430     0.70000     1.80420    46.5               
13        -58.34400        可変                                   
14(絞り)           ∞     1.50000                                   
15         16.61690     1.40240     1.92286    20.9               
16         22.05450     1.00600                                   
17         84.84020     0.80000     1.77200    50.0               
18*        52.81340     0.20000                                   
19         18.30570     3.65060     1.48749    70.4               
20        -35.77840     0.20000                                   
21         61.41940     0.60000     1.76182    26.6               
22         11.34980     2.30500     1.48749    70.4               
23         21.65900     1.41300                                   
24*        28.68950     3.97980     1.52500    70.3               
25        -16.36100     0.60000     1.54814    45.8               
26        -50.90290     1.43140                                   
27         71.48130     2.21660     1.51742    52.1               
28        -27.20190        可変                                   
29         81.94760     0.70000     1.52500    70.3               
30*        14.30740        可変                                   
31        -14.09210     0.70000     1.59282    68.6               
32        -20.54580        可変                                   
33        -35.10710     1.36270     1.92286    20.9               
34        -26.30520        (BF)                                   
像面             ∞                                               
【０１６８】
表  １４（非球面データ）
第18面
K= 0.00000E+00, A4= 5.12780E-05, A6= 9.07440E-08, A8=-4.56669E-10 
A10= 5.08991E-12 
第24面
K= 0.00000E+00, A4=-1.64653E-05, A6= 0.00000E+00, A8= 0.00000E+00 
A10= 0.00000E+00 
第30面
K= 0.00000E+00, A4=-1.95053E-05, A6=-7.39585E-08, A8= 0.00000E+00 
A10= 0.00000E+00 
【０１６９】
表  １５（無限遠合焦状態での各種データ）
ズーム比    16.48355
広角      中間      望遠
焦点距離      14.5600   59.1136  240.0006
Ｆナンバー     3.64034   5.72056   6.55286
画角        39.6355   10.0724    2.5618
像高        10.8150   10.8150   10.8150
レンズ全長    114.8680  141.7919  185.0009
ＢＦ       20.74400  20.74400  20.74400 
d5           0.4500   33.1280   64.5054 
d13         32.0705    8.0673    1.0000 
d28          1.6000    6.0535    1.5864 
d30          7.4357    7.5517   14.2107 
d32          0.4500   14.1292   30.8358 
ズームレンズ群データ
群    始面      焦点距離
1       1     101.25112
2       6     -14.11057
3      14      18.76936
4      29     -33.13437
5      31     -78.86057
6      33     105.82716
【０１７０】
表  １６（近接物体合焦状態での各種データ）
物体距離      1000.0000 1000.0000 1000.0000
ＢＦ       20.74400  20.74400  20.74400 
d5           0.4500   33.1280   64.5054 
d13         32.0705    8.0673    1.0000 
d28          1.6745    6.7290    6.2916 
d30          7.3612    6.8762    9.5055 
d32          0.4500   14.1292   30.8358
【０１７１】
（数値実施例５）
数値実施例５のズームレンズ系は、図１７に示した実施の形態５に対応する。数値実施例５のズームレンズ系の面データを表１７に、非球面データを表１８に、無限遠合焦状態での各種データを表１９に、近接物体合焦状態での各種データを表２０に示す。
【０１７２】
表  １７（面データ）
面番号         r           d           nd         vd                
物面             ∞                                               
1         95.71330     1.80000     1.72825    28.3               
2         60.36940     6.35540     1.43700    95.1               
3       -345.33170     0.20000                                   
4         62.10270     3.84320     1.59282    68.6               
5        198.42930        可変                                   
6         51.14930     1.00000     1.88300    40.8               
7         14.44050     6.55350                                   
8        -32.89640     0.70000     1.80420    46.5               
9         76.08850     0.20000                                   
10         33.58340     3.22670     1.94595    18.0               
11        -61.97350     1.33260                                   
12        -23.40060     0.70000     1.90366    31.3               
13        -80.22440        可変                                   
14(絞り)           ∞     1.50000                                   
15         15.22880     1.37980     1.92286    20.9               
16         20.95170     0.85640                                   
17         56.71130     0.80000     1.80998    40.9               
18*        37.55420     0.20000                                   
19         18.08380     3.36100     1.48749    70.4               
20        -38.78720     0.20000                                   
21         42.18230     0.60000     1.80518    25.5               
22         11.15930     2.01060     1.48749    70.4               
23         19.23320     1.71340                                   
24*        22.59140     4.07720     1.52500    70.3               
25        -15.17170     0.60000     1.56732    42.8               
26        -34.61350     1.59610                                   
27       -345.12130     1.66090     1.51823    59.0               
28        -25.10140        可変                                   
29         62.69400     0.70000     1.52500    70.3               
30*        12.43960        可変                                   
31        -14.26850     0.70000     1.59282    68.6               
32        -26.40620        可変                                   
33       -103.24790     2.61560     1.69895    30.0               
34        -29.17870        (BF)                                   
像面             ∞                                               
【０１７３】
表  １８（非球面データ）
第18面
K= 0.00000E+00, A4= 5.46420E-05, A6= 1.05384E-07, A8=-1.66369E-10 
A10= 1.85982E-12 
第24面
K= 0.00000E+00, A4=-3.00831E-05, A6= 0.00000E+00, A8= 0.00000E+00 
A10= 0.00000E+00 
第30面
K= 0.00000E+00, A4=-2.19909E-05, A6=-1.24526E-07, A8= 0.00000E+00 
A10= 0.00000E+00 
【０１７４】
表  １９（無限遠合焦状態での各種データ）
ズーム比    14.50544
広角      中間      望遠
焦点距離      14.5601   55.4438  211.2007
Ｆナンバー     3.64048   4.99258   5.82476
画角        39.8202   10.6933    2.9049
像高        10.8150   10.8150   10.8150
レンズ全長    109.0119  130.7805  169.0612
ＢＦ       17.78500  17.78500  17.78500
d5           0.4500   28.5592   59.7883 
d13         31.0760    7.6010    1.0000 
d28          1.6000    6.1696    1.5951 
d30          7.1690    7.3746   13.8411 
d32          0.4500   12.8088   24.5691 
ズームレンズ群データ
群    始面      焦点距離
1       1      94.53741
2       6     -14.54130
3      14      18.13950
4      29     -29.70178
5      31     -53.51129
6      33      57.35872
【０１７５】
表  ２０（近接物体合焦状態での各種データ）
物体距離      1000.0000 1000.0000 1000.0000
ＢＦ       17.78500  17.78500  17.78500
d5           0.4500   28.5592   59.7883 
d13         31.0760    7.6010    1.0000 
d28          1.6760    6.8000    5.8869 
d30          7.0929    6.7441    9.5493 
d32          0.4500   12.8088   24.5691
【０１７６】
（数値実施例６）
数値実施例６のズームレンズ系は、図２１に示した実施の形態６に対応する。数値実施例６のズームレンズ系の面データを表２１に、非球面データを表２２に、無限遠合焦状態での各種データを表２３に、近接物体合焦状態での各種データを表２４に示す。
【０１７７】
表  ２１（面データ）
面番号         r           d           nd         vd                
物面             ∞                                               
1        100.10600     1.80000     1.72825    28.3               
2         61.77980     6.84610     1.43700    95.1               
3       -325.53280     0.20000                                   
4         61.49780     3.93670     1.59282    68.6               
5        196.38630        可変                                   
6         47.49150     1.00000     1.88300    40.8               
7         14.70230     7.32560                                   
8        -32.87410     0.70000     1.80420    46.5               
9         63.18990     0.20000                                   
10         33.01960     3.55460     1.94595    18.0               
11        -58.96660     2.12730                                   
12        -22.37940     0.70000     1.90366    31.3               
13        -77.30020        可変                                   
14(絞り)           ∞     1.50000                                   
15         17.12760     1.32130     1.92286    20.9               
16         23.23610     1.11050                                   
17        135.05370     0.80000     1.77200    50.0               
18*        69.75360     0.20000                                   
19         18.80290     3.77690     1.48749    70.4               
20        -34.77110     0.20000                                   
21         55.54330     0.60000     1.80518    25.5               
22         11.81610     2.26300     1.48749    70.4               
23         22.15110     1.45390                                   
24*        30.11060     3.31440     1.52500    70.3               
25        -23.74610     0.60000     1.51742    52.1               
26        -69.41580     1.43030                                   
27         58.44510     2.46270     1.51823    59.0               
28        -25.81810        可変                                   
29         72.41410     0.70000     1.52500    70.3               
30*        13.88050        可変                                   
31        -13.55290     0.70000     1.59282    68.6               
32        -19.20530        可変                                   
33        -30.10170     1.33140     1.92286    20.9               
34        -23.63860        (BF)                                   
像面             ∞                                               
【０１７８】
表  ２２（非球面データ）
第18面
K= 0.00000E+00, A4= 5.23312E-05, A6= 9.21158E-08, A8=-4.97643E-10 
A10= 4.53955E-12 
第24面
K= 0.00000E+00, A4=-1.55941E-05, A6= 0.00000E+00, A8= 0.00000E+00 
A10= 0.00000E+00 
第30面
K= 0.00000E+00, A4=-2.04630E-05, A6=-8.36585E-08, A8= 0.00000E+00 
A10= 0.00000E+00 
【０１７９】
表  ２３（無限遠合焦状態での各種データ）
ズーム比    14.50556
広角      中間      望遠
焦点距離      14.5600   55.4539  211.2016
Ｆナンバー     3.64006   4.99211   5.82460
画角        39.6409   10.6801    2.9009
像高        10.8150   10.8150   10.8150
レンズ全長    114.9997  136.5926  175.0007
ＢＦ       20.80300  20.80300  20.80300
d5           0.4500   30.5680   59.4364 
d13         32.1190    8.1117    1.0000 
d28          1.6000    5.9123    1.5856 
d30          7.4237    7.5518   13.6542 
d32          0.4500   11.4913   26.3664 
ズームレンズ群データ
群    始面      焦点距離
1       1      95.28064
2       6     -14.21943
3      14      18.62864
4      29     -32.84364
5      31     -81.43068
6      33     108.56518
【０１８０】
表  ２４（近接物体合焦状態での各種データ）
物体距離      1000.0000 1000.0000 1000.0000
ＢＦ       20.80300  20.80300  20.80300
d5           0.4500   30.5680   59.4364 
d13         32.1190    8.1117    1.0000 
d28          1.6738    6.5606    5.7980 
d30          7.3498    6.9035    9.4419 
d32          0.4500   11.4913   26.3664
【０１８１】
（数値実施例７）
数値実施例７のズームレンズ系は、図２５に示した実施の形態７に対応する。数値実施例７のズームレンズ系の面データを表２５に、非球面データを表２６に、無限遠合焦状態での各種データを表２７に、近接物体合焦状態での各種データを表２８に示す。
【０１８２】
表  ２５（面データ）
面番号         r           d           nd         vd                
物面             ∞                                               
1        282.44890     2.00000     1.84666    23.8               
2         93.75220     5.98140     1.72916    54.7               
3       -797.31610     0.20000                                   
4         61.59120     4.77760     1.72916    54.7               
5        155.18030        可変                                   
6*       162.27490     1.00000     1.80998    40.9               
7*        12.93880     8.72100                                   
8        -14.36860     0.70000     1.61800    63.4               
9        -49.59270     0.20000                                   
10        128.26380     2.69590     1.92286    20.9               
11        -26.19710     0.54460                                   
12        -19.94190     0.70000     2.00100    29.1               
13        -35.03920        可変                                   
14(絞り)           ∞        可変                                   
15         25.12110     2.64710     2.00100    29.1               
16        106.79340     1.14060                                   
17        -84.18940     1.00000     1.77200    50.0               
18*        77.83220     0.20010                                   
19         21.16180     6.48230     1.49700    81.6               
20        -26.54690     0.20000                                   
21         87.69960     0.60000     1.80518    25.5               
22         12.73930     3.11840     1.43700    95.1               
23         23.86640     2.98500                                   
24*        20.77500     4.22820     1.55332    71.7               
25*       -42.99280     0.84680                                   
26        110.33790     1.68360     1.49700    81.6               
27        -78.98650        可変                                   
28         39.75650     0.70000     1.71300    53.9               
29         17.52600        可変                                   
30       -107.47930     0.80000     1.69680    55.5               
31        219.68610        可変                                   
32*        80.30470     3.49560     1.68893    31.1               
33*      -111.76820        (BF)                                   
像面             ∞                                               
【０１８３】
表  ２６（非球面データ）
第6面
K= 0.00000E+00, A4= 2.92295E-05, A6=-2.77938E-07, A8= 4.36039E-09 
A10=-2.86037E-11, A12= 9.00389E-14, A14=-1.03590E-16 
第7面
K= 0.00000E+00, A4=-1.21297E-06, A6=-2.42077E-07, A8= 2.98497E-09 
A10= 1.59841E-11, A12= 0.00000E+00, A14= 0.00000E+00 
第18面
K= 0.00000E+00, A4= 3.55443E-05, A6= 5.69761E-08, A8=-2.07667E-10 
A10= 1.79910E-12, A12= 0.00000E+00, A14= 0.00000E+00 
第24面
K= 0.00000E+00, A4=-3.23626E-05, A6= 1.51506E-07, A8=-2.18641E-09 
A10= 1.68982E-11, A12= 0.00000E+00, A14= 0.00000E+00 
第25面
K= 0.00000E+00, A4=-1.60795E-06, A6= 1.63238E-07, A8=-2.48749E-09 
A10= 1.93681E-11, A12= 0.00000E+00, A14= 0.00000E+00 
第32面
K= 0.00000E+00, A4= 2.66227E-06, A6= 1.52082E-07, A8=-4.23704E-10 
A10= 1.06768E-12, A12= 0.00000E+00, A14= 0.00000E+00 
第33面
K= 0.00000E+00, A4= 2.26701E-06, A6= 8.25159E-08, A8= 0.00000E+00 
A10= 0.00000E+00, A12= 0.00000E+00, A14= 0.00000E+00 
【０１８４】
表  ２７（無限遠合焦状態での各種データ）
ズーム比     5.38446
広角      中間      望遠
焦点距離      12.4801   28.9595   67.1984
Ｆナンバー     2.91218   2.91228   2.91205
画角        43.8372   20.0953    8.9244
像高        10.8150   10.8150   10.8150
レンズ全長    102.8332  118.3778  148.9552
ＢＦ       13.82700  13.82700  13.82700 
d5           0.4500   19.6197   46.9149 
d13         15.6326    5.2869    1.0000 
d14          8.0000    3.0017    1.5000 
d27          2.1000    3.7588    2.0921 
d29          4.7260    8.6276   17.8921 
d31          0.4500    6.6080    8.0798 
ズームレンズ群データ
群    始面      焦点距離
1       1     100.90064
2       6     -14.85327
3      15      20.56261
4      28     -44.54325
5      30    -103.47001
6      32      68.33662
【０１８５】
表  ２８（近接物体合焦状態での各種データ）
物体距離       500.0000  500.0000  500.0000
ＢＦ       13.82700  13.82700  13.82700 
d5           0.4500   19.6197   46.9149 
d13         15.6326    5.2869    1.0000 
d14          8.0000    3.0017    1.5000 
d27          2.3773    4.6438    4.8960 
d29          4.4486    7.7426   15.0882 
d31          0.4500    6.6080    8.0798 
【０１８６】
（数値実施例８）
数値実施例８のズームレンズ系は、図２９に示した実施の形態８に対応する。数値実施例８のズームレンズ系の面データを表２９に、非球面データを表３０に、無限遠合焦状態での各種データを表３１に、近接物体合焦状態での各種データを表３２に示す。
【０１８７】
表  ２９（面データ）
面番号         r           d           nd         vd                
物面             ∞                                               
1        227.61690     2.00000     1.84666    23.8               
2         86.81160     6.87020     1.72916    54.7               
3      -1546.01880     0.20000                                   
4         63.95050     5.10230     1.72916    54.7               
5        158.74650        可変                                   
6*       113.18320     1.00000     1.80998    40.9               
7*        12.92370     9.79380                                   
8        -14.37730     0.70000     1.61800    63.4               
9        -50.65100     0.28040                                   
10        193.10770     2.71420     1.92286    20.9               
11        -24.45220     0.31770                                   
12        -21.29610     0.70000     2.00100    29.1               
13        -42.76920        可変                                   
14(絞り)           ∞        可変                                   
15         28.55430     3.71730     2.00100    29.1               
16        127.42490     1.64310                                   
17        -48.11500     1.00000     1.77200    50.0               
18*      1749.95580     0.19990                                   
19         24.12910     6.64610     1.49700    81.6               
20        -23.26960     0.20000                                   
21        463.81640     0.60000     1.75520    27.5               
22         13.63220     7.62990     1.43700    95.1               
23         28.49360     1.80950                                   
24*        21.68160     4.28860     1.55332    71.7               
25*       -48.99160     0.95240                                   
26        226.24280     1.48990     1.49700    81.6               
27        -91.45470        可変                                   
28         42.51420     0.70000     1.72916    54.7               
29         21.80840        可変                                   
30        -56.43680     0.80000     1.59349    67.0               
31        -63.65110        可変                                   
32*       135.10710     3.50000     1.68893    31.1               
33*      -490.76620        (BF)                                   
像面             ∞                                               
【０１８８】
表  ３０（非球面データ）
第6面
K= 0.00000E+00, A4= 1.80892E-05, A6=-2.15932E-07, A8= 3.43296E-09 
A10=-2.27876E-11, A12= 7.40419E-14, A14=-9.29925E-17 
第7面
K= 0.00000E+00, A4=-1.11122E-05, A6=-3.22483E-07, A8= 3.77212E-09 
A10=-6.28073E-12, A12= 0.00000E+00, A14= 0.00000E+00 
第18面
K= 0.00000E+00, A4= 3.16852E-05, A6= 5.79090E-08, A8=-6.87722E-11 
A10= 1.45094E-12, A12= 0.00000E+00, A14= 0.00000E+00 
第24面
K= 0.00000E+00, A4=-2.63349E-05, A6= 8.77694E-08, A8=-1.58505E-09 
A10= 1.19450E-11, A12= 0.00000E+00, A14= 0.00000E+00 
第25面
K= 0.00000E+00, A4=-1.39303E-06, A6= 1.07626E-07, A8=-1.94758E-09 
A10= 1.41853E-11, A12= 0.00000E+00, A14= 0.00000E+00 
第32面
K= 0.00000E+00, A4= 7.59943E-06, A6=-1.33327E-07, A8= 9.60265E-11 
A10=-1.11965E-12, A12= 0.00000E+00, A14= 0.00000E+00 
第33面
K= 0.00000E+00, A4= 1.03724E-05, A6=-1.84573E-07, A8= 0.00000E+00 
A10= 0.00000E+00, A12= 0.00000E+00, A14= 0.00000E+00 
【０１８９】
表  ３１（無限遠合焦状態での各種データ）
ズーム比     5.38460
広角      中間      望遠
焦点距離      12.4800   28.9583   67.1996
Ｆナンバー     2.91212   2.91236   2.91207
画角        43.7258   20.1921    8.9222
像高        10.8150   10.8150   10.8150
レンズ全長    112.0649  127.2929  159.3963
ＢＦ       14.00000  14.00000  14.00000
d5           0.4500   18.5943   48.3326 
d13         16.7621    5.2699    1.0000 
d14          8.0000    2.9236    1.5000 
d27          2.0983    3.6697    2.1023 
d29          5.4423    9.5520   17.2418 
d31          0.4560    8.4273   10.3639 
ズームレンズ群データ
群    始面      焦点距離
1       1     102.65920
2       6     -14.54474
3      15      23.16166
4      28     -62.29865
5      30    -875.13741
6      32     154.12833
【０１９０】
表  ３２（近接物体合焦状態での各種データ）
物体距離       500.0000  500.0000  500.0000
ＢＦ       14.00000  14.00000  14.00000
d5           0.4500   18.5943   48.3326 
d13         16.7621    5.2699    1.0000 
d14          8.0000    2.9236    1.5000 
d27          2.4959    4.9150    6.4012 
d29          5.0446    8.3067   12.9429 
d31          0.4560    8.4273   10.3639 
【０１９１】
以下の表３３に、各数値実施例のズームレンズ系における各条件の対応値を示す。
【０１９２】
表  ３３（条件の対応値）
【表１】
2015045297.tif 000006
【０１９３】
以上のように、本開示における技術の例示として、実施の形態を説明した。そのために、添付図面および詳細な説明を提供した。
【０１９４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１９５】
また、上述の実施の形態は、本開示における技術を例示するためのものであるから、特許請求の範囲またはその均等の範囲において種々の変更、置き換え、付加、省略などを行うことができる。
【産業上の利用可能性】
【０１９６】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。【０１９７】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１９８】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
ＧＡ    絞り群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ｌ１９  第１９レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
2015045297.tif 000008
【図２】
2015045297.tif 000009
【図３】
2015045297.tif 000010
【図４】
2015045297.tif 000011
【図５】
2015045297.tif 000012
【図６】
2015045297.tif 000013
【図７】
2015045297.tif 000014
【図８】
2015045297.tif 000015
【図９】
2015045297.tif 000016
【図１０】
2015045297.tif 000017
【図１１】
2015045297.tif 000018
【図１２】
2015045297.tif 000019
【図１３】
2015045297.tif 000020
【図１４】
2015045297.tif 000021
【図１５】
2015045297.tif 000022
【図１６】
2015045297.tif 000023
【図１７】
2015045297.tif 000024
【図１８】
2015045297.tif 000025
【図１９】
2015045297.tif 000026
【図２０】
2015045297.tif 000027
【図２１】
2015045297.tif 000028
【図２２】
2015045297.tif 000029
【図２３】
2015045297.tif 000030
【図２４】
2015045297.tif 000031
【図２５】
2015045297.tif 000032
【図２６】
2015045297.tif 000033
【図２７】
2015045297.tif 000034
【図２８】
2015045297.tif 000035
【図２９】
2015045297.tif 000036
【図３０】
2015045297.tif 000037
【図３１】
2015045297.tif 000038
【図３２】
2015045297.tif 000039
【図３３】
2015045297.tif 000040
【手続補正書】
【提出日】平成27年3月31日(2015.3.31)
【手続補正１】
【補正対象書類名】明細書
【補正対象項目名】全文
【補正方法】変更
【補正の内容】
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、焦点距離を自在に変化させることができる点で人気がある。
【０００３】
特許文献１は、正負正負負正の６群構成で、第１レンズ群、第２レンズ群、第４レンズ群及び第５レンズ群を移動させてズーミングを行い、第４レンズ群を像側に移動させてフォーカシングを行うズームレンズ系を開示している。
【０００４】
特許文献２は、正負正負負正の６群構成で、全レンズ群及び開口絞りを移動させてズーミングを行い、第２レンズ群のうち物体側レンズ群を移動させてフォーカシングを行うズームレンズを開示している。
【０００５】
特許文献３は、正負正負負正の６群構成で、第１レンズ群乃至第３レンズ群、第５レンズ群及び第６レンズ群を移動させてズーミングを行い、第６レンズ群を物体側に移動させてフォーカシングを行う可変焦点距離レンズを開示している。
【先行技術文献】
【特許文献】
【０００６】
【特許文献１】特開２０１２−０４７８１４号公報
【特許文献２】特開２０１３−０２５０８５号公報
【特許文献３】特開２０１０−０３９２７１号公報
【発明の概要】
【発明が解決しようとする課題】
【０００７】
本開示は、高いズーム比を有しながら、全長が短く、偏心敏感度が低く、高い光学性能を有するズームレンズ系を提供する。また本開示は、該ズームレンズ系を含む交換レンズ装置及びカメラシステムを提供する。
【課題を解決するための手段】
【０００８】
本開示におけるズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とを備え、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足する
ことを特徴とする。
【０００９】
本開示における交換レンズ装置は、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とを備え、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【００１０】
本開示におけるカメラシステムは、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とを備え、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１１】
本開示におけるズームレンズ系は、高いズーム比を有しながら、全長が短く、偏心敏感度が低く、高い光学性能を有する。
【図面の簡単な説明】
【００１２】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の近接物体合焦状態の縦収差図
【図４】数値実施例１に係るズームレンズ系の望遠端における、像ぶれ補正を行っていない基本状態及び像ぶれ補正状態での横収差図
【図５】実施の形態２（数値実施例２）に係るズームレンズ系の無限遠合焦状態を示すレンズ配置図
【図６】数値実施例２に係るズームレンズ系の無限遠合焦状態の縦収差図
【図７】数値実施例２に係るズームレンズ系の近接物体合焦状態の縦収差図
【図８】数値実施例２に係るズームレンズ系の望遠端における、像ぶれ補正を行っていない基本状態及び像ぶれ補正状態での横収差図
【図９】実施の形態３（数値実施例３）に係るズームレンズ系の無限遠合焦状態を示すレンズ配置図
【図１０】数値実施例３に係るズームレンズ系の無限遠合焦状態の縦収差図
【図１１】数値実施例３に係るズームレンズ系の近接物体合焦状態の縦収差図
【図１２】数値実施例３に係るズームレンズ系の望遠端における、像ぶれ補正を行っていない基本状態及び像ぶれ補正状態での横収差図
【図１３】実施の形態４（数値実施例４）に係るズームレンズ系の無限遠合焦状態を示すレンズ配置図
【図１４】数値実施例４に係るズームレンズ系の無限遠合焦状態の縦収差図
【図１５】数値実施例４に係るズームレンズ系の近接物体合焦状態の縦収差図
【図１６】数値実施例４に係るズームレンズ系の望遠端における、像ぶれ補正を行っていない基本状態及び像ぶれ補正状態での横収差図
【図１７】実施の形態５（数値実施例５）に係るズームレンズ系の無限遠合焦状態を示すレンズ配置図
【図１８】数値実施例５に係るズームレンズ系の無限遠合焦状態の縦収差図
【図１９】数値実施例５に係るズームレンズ系の近接物体合焦状態の縦収差図
【図２０】数値実施例５に係るズームレンズ系の望遠端における、像ぶれ補正を行っていない基本状態及び像ぶれ補正状態での横収差図
【図２１】実施の形態６（数値実施例６）に係るズームレンズ系の無限遠合焦状態を示すレンズ配置図
【図２２】数値実施例６に係るズームレンズ系の無限遠合焦状態の縦収差図
【図２３】数値実施例６に係るズームレンズ系の近接物体合焦状態の縦収差図
【図２４】数値実施例６に係るズームレンズ系の望遠端における、像ぶれ補正を行っていない基本状態及び像ぶれ補正状態での横収差図
【図２５】実施の形態７（数値実施例７）に係るズームレンズ系の無限遠合焦状態を示すレンズ配置図
【図２６】数値実施例７に係るズームレンズ系の無限遠合焦状態の縦収差図
【図２７】数値実施例７に係るズームレンズ系の近接物体合焦状態の縦収差図
【図２８】数値実施例７に係るズームレンズ系の望遠端における、像ぶれ補正を行っていない基本状態及び像ぶれ補正状態での横収差図
【図２９】実施の形態８（数値実施例８）に係るズームレンズ系の無限遠合焦状態を示すレンズ配置図
【図３０】数値実施例８に係るズームレンズ系の無限遠合焦状態の縦収差図
【図３１】数値実施例８に係るズームレンズ系の近接物体合焦状態の縦収差図
【図３２】数値実施例８に係るズームレンズ系の望遠端における、像ぶれ補正を行っていない基本状態及び像ぶれ補正状態での横収差図
【図３３】実施の形態９に係るレンズ交換式デジタルカメラシステムの概略構成図
【発明を実施するための形態】
【００１３】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者は、当業者が本開示を充分に理解するために添付図面および以下の説明を提供するのであって、これらによって請求の範囲に記載の主題を限定することを意図するものではない。
【００１５】
（実施の形態１〜８）
図１、５、９、１３、１７、２１、２５及び２９は、各々実施の形態１〜８に係るズームレンズ系のレンズ配置図であり、いずれも無限遠合焦状態にあるズームレンズ系を表している。
【００１６】
各レンズ配置図において、（ａ）図は広角端でのレンズ構成、（ｂ）図は中間位置でのレンズ構成、（ｃ）図は望遠端でのレンズ構成をそれぞれ表している。（ａ）図の広角端とは、最短焦点距離状態を示し、最短焦点距離状態における焦点距離はｆＷである。（ｂ）図の中間位置とは、中間焦点距離状態を示し、中間焦点距離状態における焦点距離ｆＭは、次式で規定される（ｆＷは前記のとおりであり、ｆＴは後述のとおりである）。
【数１】
2015045297.tif 000041
（ｃ）図の望遠端とは、最長焦点距離状態を示し、最長焦点距離状態における焦点距離はｆＴである。また各レンズ配置図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１７】
さらに各図において、レンズ群に付された矢印は、無限遠合焦状態から近接物体合焦状態へのフォーカシングを表す。
【００１８】
すなわち、図１、５、９、１３、１７、２１、２５及び２９では、後述する第４レンズ群Ｇ４が無限遠合焦状態から近接物体合焦状態へのフォーカシングの際に移動する方向を示している。なお、これら図１、５、９、１３、１７、２１、２５及び２９では、（ａ）図に各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００１９】
実施の形態１、２、７及び８に係わるズームレンズ系は、物体側から像側へと順に、正のパワーを有する第１レンズ群Ｇ１と、負のパワーを有する第２レンズ群Ｇ２と、開口絞りのみの絞り群ＧＡと、正のパワーを有する第３レンズ群Ｇ３と、負のパワーを有する第４レンズ群Ｇ４と、負のパワーを有する第５レンズ群Ｇ５と、正のパワーを有する第６レンズ群Ｇ６とを備える。
【００２０】
各実施の形態に係るズームレンズ系では、ズーミングに際して、各レンズ群の間隔、すなわち、第１レンズ群Ｇ１と第２レンズ群Ｇ２との間隔、第２レンズ群Ｇ２と絞り群ＧＡとの間隔、絞り群ＧＡと第３レンズ群Ｇ３との間隔、第３レンズ群Ｇ３と第４レンズ群Ｇ４との間隔、第４レンズ群Ｇ４と第５レンズ群Ｇ５との間隔、及び第５レンズ群Ｇ５と第６レンズ群Ｇ６との間隔がいずれも変化するように、各レンズ群が光軸に沿った方向にそれぞれ移動する。各実施の形態に係るズームレンズ系は、これら各レンズ群を所望のパワー配置にすることにより、大きなズーム比を有しながら、高い光学性能を保持しつつ、レンズ系全体の小型化を可能にしている。
【００２１】
実施の形態３〜６に係わるズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、負のパワーを有する第５レンズ群Ｇ５と、正のパワーを有する第６レンズ群Ｇ６とを備える。
【００２２】
各実施の形態に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、第４レンズ群Ｇ４と第５レンズ群Ｇ５との間隔、及び第５レンズ群Ｇ５と第６レンズ群Ｇ６との間隔がいずれも変化するように、各レンズ群が光軸に沿った方向にそれぞれ移動する。各実施の形態に係るズームレンズ系は、これら各レンズ群を所望のパワー配置にすることにより、大きなズーム比を有しながら、高い光学性能を保持しつつ、レンズ系全体の小型化を可能にしている。
【００２３】
なお、図１、５、９、１３、１７、２１、２５及び２９において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００２４】
さらに、図１、５、２５及び２９に示すように、実施の形態１、２、７及び８に係わるズームレンズ系では、絞り群ＧＡは開口絞りＡのみによって構成されている。また図９、１３、１７及び２１に示すように、実施の形態３〜６に係わるズームレンズ系では、第３レンズ群Ｇ３内、すなわち、第８レンズ素子Ｌ８の物体側に開口絞りＡが設けられている。
【００２５】
（実施の形態１）
図１に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００２６】
第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６と、像側に凸面を向けた負のメニスカス形状の第７レンズ素子Ｌ７とからなる。第５レンズ素子Ｌ５の物体側面及び像側面は非球面である。
【００２７】
絞り群ＧＡは、開口絞りＡのみからなる。
【００２８】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、像側に凸面を向けた正メニスカス形状の第１５レンズ素子Ｌ１５とからなる。これらのうち、第８レンズ素子Ｌ８と第９レンズ素子Ｌ９、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。
【００２９】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００３０】
第４レンズ群Ｇ４は、物体側に凸面を向けた負メニスカス形状の第１６レンズ素子Ｌ１６のみからなる。第１６レンズ素子Ｌ１６の像側面は非球面である。
【００３１】
第５レンズ群Ｇ５は、物体側から像側へと順に、像側に凸面を向けた負メニスカス形状の第１７レンズ素子Ｌ１７と、両凸形状の第１８レンズ素子Ｌ１８とからなる。
【００３２】
第６レンズ群Ｇ６は、像側に凸面を向けた正メニスカス形状の第１９レンズ素子Ｌ１９のみからなる。
【００３３】
実施の形態１に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００３４】
実施の形態１に係るズームレンズ系において、撮像時の広角端から望遠端へのズーミングの際に、第１レンズ群Ｇ１、絞り群ＧＡ、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と絞り群ＧＡとの間隔、及び絞り群ＧＡと第３レンズ群Ｇ３との間隔が減少し、第３レンズ群Ｇ３と第４レンズ群Ｇ４との間隔が変化するように、各レンズ群が光軸に沿ってそれぞれ移動する。
【００３５】
実施の形態１に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００３６】
（実施の形態２）
図５に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００３７】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負のメニスカス形状の第７レンズ素子Ｌ７とからなる。第５レンズ素子Ｌ５の物体側面及び像側面は非球面である。
【００３８】
絞り群ＧＡは、開口絞りＡのみからなる。
【００３９】
第３レンズ群Ｇ３は、物体側から像側へと順に、両凸形状の第８レンズ素子Ｌ８と、像側が平面の平凹形状の第９レンズ素子Ｌ９と、両凸形状の第１０レンズ素子Ｌ１０と、両凹形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、像側に凸面を向けた正メニスカス形状の第１５レンズ素子Ｌ１５とからなる。これらのうち、第８レンズ素子Ｌ８と第９レンズ素子Ｌ９、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。
【００４０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００４１】
第４レンズ群Ｇ４は、物体側に凸面を向けた負メニスカス形状の第１６レンズ素子Ｌ１６のみからなる。第１６レンズ素子Ｌ１６の像側面は非球面である。
【００４２】
第５レンズ群Ｇ５は、物体側から像側へと順に、像側に凸面を向けた負メニスカス形状の第１７レンズ素子Ｌ１７と、両凸形状の第１８レンズ素子Ｌ１８とからなる。
【００４３】
第６レンズ群Ｇ６は、両凸形状の第１９レンズ素子Ｌ１９のみからなる。
【００４４】
実施の形態２に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００４５】
実施の形態２に係るズームレンズ系において、撮像時の広角端から望遠端へのズーミングの際に、第１レンズ群Ｇ１、絞り群ＧＡ、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と絞り群ＧＡとの間隔、及び絞り群ＧＡと第３レンズ群Ｇ３との間隔が減少し、第３レンズ群Ｇ３と第４レンズ群Ｇ４との間隔が変化するように、各レンズ群が光軸に沿ってそれぞれ移動する。
【００４６】
実施の形態２に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００４７】
（実施の形態３）
図９に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００４８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。
【００４９】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、両凸形状の第１５レンズ素子Ｌ１５とからなる。これらのうち、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。第８レンズ素子Ｌ８の物体側には、開口絞りＡが設けられている。
【００５０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００５１】
第４レンズ群Ｇ４は、物体側に凸面を向けた負メニスカス形状の第１６レンズ素子Ｌ１６のみからなる。第１６レンズ素子Ｌ１６の像側面は非球面である。
【００５２】
第５レンズ群Ｇ５は、像側に凸面を向けた負メニスカス形状の第１７レンズ素子Ｌ１７のみからなる。
【００５３】
第６レンズ群Ｇ６は、像側に凸面を向けた正メニスカス形状の第１８レンズ素子Ｌ１８のみからなる。
【００５４】
実施の形態３に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００５５】
実施の形態３に係るズームレンズ系において、撮像時の広角端から望遠端へのズーミングの際に、第１レンズ群Ｇ１、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と第３レンズ群Ｇ３との間隔が減少し、第３レンズ群Ｇ３と第４レンズ群Ｇ４との間隔が変化するように、各レンズ群が光軸に沿ってそれぞれ移動する。
【００５６】
実施の形態３に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００５７】
（実施の形態４）
図１３に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００５８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負のメニスカス形状の第７レンズ素子Ｌ７とからなる。
【００５９】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、両凸形状の第１５レンズ素子Ｌ１５とからなる。これらのうち、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。第８レンズ素子Ｌ８の物体側には、開口絞りＡが設けられている。
【００６０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００６１】
第４レンズ群Ｇ４は、物体側に凸面を向けた負メニスカス形状の第１６レンズ素子Ｌ１６のみからなる。第１６レンズ素子の像側面は非球面である。
【００６２】
第５レンズ群Ｇ５は、像側に凸面を向けた負メニスカス形状の第１７レンズ素子Ｌ１７のみからなる。
【００６３】
第６レンズ群Ｇ６は、像側に凸面を向けた正メニスカス形状の第１８レンズ素子Ｌ１８のみからなる。
【００６４】
実施の形態４に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００６５】
実施の形態４に係るズームレンズ系において、撮像時の広角端から望遠端へのズーミングの際に、第１レンズ群Ｇ１、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と第３レンズ群Ｇ３との間隔が減少し、第３レンズ群Ｇ３と第４レンズ群Ｇ４との間隔が変化するように、各レンズ群が光軸に沿ってそれぞれ移動する。
【００６６】
実施の形態４に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００６７】
（実施の形態５）
図１７に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００６８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負のメニスカス形状の第７レンズ素子Ｌ７とからなる。
【００６９】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、像側に凸面を向けた正メニスカス形状の第１５レンズ素子Ｌ１５とからなる。これらのうち、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。第８レンズ素子Ｌ８の物体側には、開口絞りＡが設けられている。
【００７０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００７１】
第４レンズ群Ｇ４は、物体側に凸面を向けた負メニスカス形状の第１６レンズ素子Ｌ１６のみからなる。第１６レンズ素子の像側面は非球面である。
【００７２】
第５レンズ群Ｇ５は、像側に凸面を向けた負メニスカス形状の第１７レンズ素子Ｌ１７のみからなる。
【００７３】
第６レンズ群Ｇ６は、像側に凸面を向けた正メニスカス形状の第１８レンズ素子Ｌ１８のみからなる。
【００７４】
実施の形態５に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００７５】
実施の形態５に係るズームレンズ系において、撮像時の広角端から望遠端へのズーミングの際に、第１レンズ群Ｇ１、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と第３レンズ群Ｇ３との間隔が減少し、第３レンズ群Ｇ３と第４レンズ群Ｇ４との間隔が変化するように、各レンズ群が光軸に沿ってそれぞれ移動する。
【００７６】
実施の形態５に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００７７】
（実施の形態６）
図２１に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００７８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負のメニスカス形状の第７レンズ素子Ｌ７とからなる。
【００７９】
第３レンズ群Ｇ３は、物体側から像側へと順に、物体側に凸面を向けた正メニスカス形状の第８レンズ素子Ｌ８と、物体側に凸面を向けた負メニスカス形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、像側に凸面を向けた負メニスカス形状の第１４レンズ素子Ｌ１４と、両凸形状の第１５レンズ素子Ｌ１５とからなる。これらのうち、第１１レンズ素子Ｌ１１と第１２レンズ素子Ｌ１２、及び第１３レンズ素子Ｌ１３と第１４レンズ素子Ｌ１４とは、それぞれ接合されている。第９レンズ素子Ｌ９の像側面、及び第１３レンズ素子Ｌ１３の物体側面は非球面である。第８レンズ素子Ｌ８の物体側には、開口絞りＡが設けられている。
【００８０】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３及び第１４レンズ素子Ｌ１４が３Ｂ群に、第１５レンズ素子Ｌ１５が３Ｃ群に相当する。
【００８１】
第４レンズ群Ｇ４は、物体側に凸面を向けた負メニスカス形状の第１６レンズ素子Ｌ１６のみからなる。第１６レンズ素子の像側面は非球面である。
【００８２】
第５レンズ群Ｇ５は、像側に凸面を向けた負メニスカス形状の第１７レンズ素子Ｌ１７のみからなる。
【００８３】
第６レンズ群Ｇ６は、像側に凸面を向けた正メニスカス形状の第１８レンズ素子Ｌ１８のみからなる。
【００８４】
実施の形態６に係るズームレンズ系では、第３レンズ群Ｇ３中の３Ｂ群である第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００８５】
実施の形態６に係るズームレンズ系において、撮像時の広角端から望遠端へのズーミングの際に、第１レンズ群Ｇ１、第３レンズ群Ｇ３、第４レンズ群Ｇ４及び第５レンズ群Ｇ５は、物体側へ単調に移動し、第２レンズ群Ｇ２は、像側に凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と第３レンズ群Ｇ３との間隔が減少し、第３レンズ群Ｇ３と第４レンズ群Ｇ４との間隔が変化するように、各レンズ群が光軸に沿ってそれぞれ移動する。
【００８６】
実施の形態６に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する
【００８７】
（実施の形態７）
図２５に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００８８】
第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６と、像側に凸面を向けた負のメニスカス形状の第７レンズ素子Ｌ７とからなる。第４レンズ素子Ｌ４の物体側面及び像側面は非球面である。
【００８９】
絞り群ＧＡは、開口絞りＡのみからなる。
【００９０】
第３レンズ群Ｇ３は、物体側から像側へと順に、物体側に凸面を向けた正メニスカス形状の第８レンズ素子Ｌ８と、両凹形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、両凸形状の第１４レンズ素子Ｌ１４とからなる。これらのうち、第１１レンズ素子Ｌ１１と第１２レンズ素子Ｌ１２とは接合されている。第９レンズ素子Ｌ９の像側面、並びに第１３レンズ素子Ｌ１３の物体側面及び像側面は非球面である。
【００９１】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３が３Ｂ群に、第１４レンズ素子Ｌ１４が３Ｃ群に相当する。
【００９２】
第４レンズ群Ｇ４は、物体側に凸面を向けた負メニスカス形状の第１５レンズ素子Ｌ１５のみからなる。
【００９３】
第５レンズ群Ｇ５は、両凹形状の第１６レンズ素子Ｌ１６のみからなる。
【００９４】
第６レンズ群Ｇ６は、両凸形状の第１７レンズ素子Ｌ１７のみからなる。第１７レンズ素子Ｌ１７の物体側面及び像側面は非球面である。
【００９５】
実施の形態７に係るズームレンズ系では、第３レンズ群Ｇ３中の３Ｂ群である第１３レンズ素子Ｌ１３が、後述する、像のぶれを光学的に補正するために光軸に対して垂直方向に移動する像ぶれ補正レンズ群に相当する。
【００９６】
実施の形態７に係るズームレンズ系において、撮像時の広角端から望遠端へのズーミングの際に、第１レンズ群Ｇ１、絞り群ＧＡ、第３レンズ群Ｇ３、第４レンズ群Ｇ４及び第５レンズ群Ｇ５は、物体側へ単調に移動し、第２レンズ群Ｇ２は、像側に僅かに凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と絞り群ＧＡとの間隔、及び絞り群ＧＡと第３レンズ群Ｇ３との間隔が減少し、第３レンズ群Ｇ３と第４レンズ群Ｇ４との間隔が変化するように、各レンズ群が光軸に沿ってそれぞれ移動する。
【００９７】
実施の形態７に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００９８】
（実施の形態８）
図２９に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００９９】
第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６と、像側に凸面を向けた負のメニスカス形状の第７レンズ素子Ｌ７とからなる。第４レンズ素子Ｌ４の物体側面及び像側面は非球面である。
【０１００】
絞り群ＧＡは、開口絞りＡのみからなる。
【０１０１】
第３レンズ群Ｇ３は、物体側から像側へと順に、物体側に凸面を向けた正メニスカス形状の第８レンズ素子Ｌ８と、両凹形状の第９レンズ素子Ｌ９と、両凸形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２と、両凸形状の第１３レンズ素子Ｌ１３と、両凸形状の第１４レンズ素子Ｌ１４とからなる。これらのうち、第１１レンズ素子Ｌ１１と第１２レンズ素子Ｌ１２とは接合されている。第９レンズ素子Ｌ９の像側面、並びに第１３レンズ素子Ｌ１３の物体側面及び像側面は非球面である。
【０１０２】
なお、第３レンズ群Ｇ３は、物体側から像側へと順に、正のパワーを有する３Ａ群と、正のパワーを有する３Ｂ群と、正のパワーを有する３Ｃ群とからなり、第８レンズ素子Ｌ８、第９レンズ素子Ｌ９、第１０レンズ素子Ｌ１０、第１１レンズ素子Ｌ１１及び第１２レンズ素子Ｌ１２が３Ａ群に、第１３レンズ素子Ｌ１３が３Ｂ群に、第１４レンズ素子Ｌ１４が３Ｃ群に相当する。
【０１０３】
第４レンズ群Ｇ４は、物体側に凸面を向けた負メニスカス形状の第１５レンズ素子Ｌ１５のみからなる。
【０１０４】
第５レンズ群Ｇ５は、像側に凸面を向けた負メニスカス形状の第１６レンズ素子Ｌ１６のみからなる。
【０１０５】
第６レンズ群Ｇ６は、両凸形状の第１７レンズ素子Ｌ１７のみからなる。第１７レンズ素子Ｌ１７の物体側面及び像側面は非球面である。
【０１０６】
実施の形態８に係るズームレンズ系では、第３レンズ群Ｇ３中の３Ｂ群である第１３レンズ素子Ｌ１３が、後述する、像のぶれを光学的に補正するために光軸に対して垂直方向に移動する像ぶれ補正レンズ群に相当する。
【０１０７】
実施の形態８に係るズームレンズ系において、撮像時の広角端から望遠端へのズーミングの際に、第１レンズ群Ｇ１、絞り群ＧＡ、第３レンズ群Ｇ３、第４レンズ群Ｇ４及び第５レンズ群Ｇ５は、物体側へ単調に移動し、第２レンズ群Ｇ２は、像側に僅かに凸の軌跡を描いて移動し、第６レンズ群Ｇ６は、像面Ｓに対して固定されている。すなわち、ズーミングに際して、第１レンズ群Ｇ１と第２レンズ群Ｇ２との間隔、第４レンズ群Ｇ４と第５レンズ群Ｇ５との間隔、及び第５レンズ群Ｇ５と第６レンズ群Ｇ６との間隔が増加し、第２レンズ群Ｇ２と絞り群ＧＡとの間隔、及び絞り群ＧＡと第３レンズ群Ｇ３との間隔が減少し、第３レンズ群Ｇ３と第４レンズ群Ｇ４との間隔が変化するように、各レンズ群が光軸に沿ってそれぞれ移動する。
【０１０８】
実施の形態８に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【０１０９】
実施の形態１〜８に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、負のパワーを有する第５レンズ群Ｇ５と、正のパワーを有する第６レンズ群Ｇ６とで構成されているので、各ズーミング状態で高い光学性能を有することができるという利点がある。
【０１１０】
実施の形態１、２、７及び８に係るズームレンズ系では、開口絞りＡが第２レンズ群Ｇ２と第３レンズ群Ｇ３との間に配置されており、撮像時の広角端から望遠端へのズーミングの際に、各レンズ群と独立して光軸に沿って移動するので、第１レンズ群Ｇ１の小型化が可能であるという利点がある。
【０１１１】
実施の形態１〜８に係るズームレンズ系は、像の位置を光軸に対して直交する方向に移動するために、光軸に対して直交する方向に移動する像ぶれ補正レンズ群を備えている。この像ぶれ補正レンズ群により、全系の振動による像点移動を補正する、すなわち、手ぶれ、振動等による像のぶれを光学的に補正することができる。
【０１１２】
全系の振動による像点移動を補正する際に、このように像ぶれ補正レンズ群が光軸に対して直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【０１１３】
なお、像ぶれ補正レンズ群は、１つのレンズ群であってもよく、１つのレンズ群が複数のレンズ素子で構成される場合、該複数のレンズ素子のうち、いずれか１枚のレンズ素子又は隣り合った複数のレンズ素子であってもよい。
【０１１４】
実施の形態１〜８に係るズームレンズ系では、第３レンズ群Ｇ３が、物体側から像側へと順に、正のパワーを有する３Ａ群と、正のパワーを有する３Ｂ群と、正のパワーを有する３Ｃ群とからなり、該３Ｂ群が、像のぶれを光学的に補正するために光軸に対して垂直方向に移動する像ぶれ補正レンズ群であるので、該３Ｂ群、すなわち像ぶれ補正レンズ群のチルト誤差が発生した場合の収差の発生を小さくすることができ、製造が容易になるという利点がある。
【０１１５】
実施の形態１〜８に係るズームレンズ系では、第４レンズ群Ｇ４が、無限遠合焦状態から近接物体合焦状態へのフォーカシングの際に光軸に沿って像側へ移動するフォーカシングレンズ群であるので、外径を小さくすることができ、レンズ群の軽量化が可能になる。これにより、小型のアクチュエータを用いることが可能になり、フォーカシングレンズ群の移動を高速化することができるという利点がある。
【０１１６】
実施の形態１〜８に係るズームレンズ系では、撮像時の広角端から望遠端へのズーミングの際に、第２レンズ群Ｇ２が像側に凸の軌跡を描いて像面Ｓに対して移動するので、中間焦点距離における諸収差、特にコマ収差及び球面収差を良好に補正することができるという利点がある。
【０１１７】
実施の形態１〜８に係るズームレンズ系では、撮像時の広角端から望遠端へのズーミングの際に、第６レンズ群Ｇ６が像面Ｓに対して固定されているので、埃等の塵がレンズ系へ浸入するのを防ぐことができる。
【０１１８】
実施の形態１及び２に係るズームレンズ系では、第５レンズ群Ｇ５が、物体側から像側へと順に、負のパワーを有するレンズ素子と正のパワーを有するレンズ素子とからなるので、特に望遠端での球面収差を良好に補正することができる。
【０１１９】
以上のように、本出願において開示する技術の例示として、実施の形態１〜８を説明した。しかしながら、本開示における技術は、これに限定されず、適宜、変更、置き換え、付加、省略などを行った実施の形態にも適用可能である。
【０１２０】
以下、例えば実施の形態１〜８に係るズームレンズ系のごときズームレンズ系が満足することが有益な条件を説明する。なお、各実施の形態に係るズームレンズ系に対して、複数の有益な条件が規定されるが、これら複数の条件すべてを満足するズームレンズ系の構成が最も有益である。しかしながら、個別の条件を満足することにより、それぞれ対応する効果を奏するズームレンズ系を得ることも可能である。
【０１２１】
例えば実施の形態１〜８に係るズームレンズ系のように、物体側から像側へと順に、正のパワーを有する第１レンズ群と、負のパワーを有する第２レンズ群と、正のパワーを有する第３レンズ群と、負のパワーを有する第４レンズ群と、負のパワーを有する第５レンズ群と、正のパワーを有する第６レンズ群とを備える（以下、このレンズ構成を、実施の形態の基本構成という）ズームレンズ系は、以下の条件（１）を満足する。
３．５＜｜ｆ６／ｆ２｜＜１５．５  ・・・（１）
ここで、
ｆ２：第２レンズ群の焦点距離、
ｆ６：第６レンズ群の焦点距離
である。
【０１２２】
前記条件（１）は、第２レンズ群の焦点距離と第６レンズ群の焦点距離を規定する条件である。条件（１）の下限を下回ると、レンズ系の全長が長くなってしまう。逆に条件（１）の上限を上回ると、第２レンズ群の偏心時の収差敏感度が高くなり、製造難度が上昇してしまう。また、周辺部の像面へ入射する光線の角度が大きくなりすぎ、シェーディングが起こってしまう。
【０１２３】
以下の条件（１）’及び（１）’’の少なくとも１つを満足することにより、前記効果をさらに奏功させることができる。
３．６＜｜ｆ６／ｆ２｜  ・・・（１）’
｜ｆ６／ｆ２｜＜７．５  ・・・（１）’’
【０１２４】
例えば実施の形態１、２、７及び８に係るズームレンズ系のように、基本構成を有し、開口絞りが、第２レンズ群と第３レンズ群との間に配置されており、撮像時の広角端から望遠端へのズーミングの際に各レンズ群と独立して光軸に沿って移動するズームレンズ系は、以下の条件（２）を満足することが有益である。
０．５＜ｄｓＷ/ｆＷ＜１．２  ・・・（２）
ここで、
ｄｓＷ：広角端における開口絞りと第３レンズ群の最物体側との間の光軸上の距離、
ｆＷ：広角端における無限遠合焦状態でのズームレンズ系の焦点距離
である。
【０１２５】
前記条件（２）は、広角端における開口絞りと第３レンズ群との間の距離を規定する条件である。条件（２）の下限を下回ると、開口絞りと第１レンズ群との間の距離が大きくなり、第１レンズ群の径が大きくなってしまう。逆に条件（２）の上限を上回ると、開口絞りと第３レンズ群との間の距離が大きくなり、第３レンズ群の径が大きくなってしまう。
【０１２６】
以下の条件（２）’及び（２）’’の少なくとも１つを満足することにより、前記効果をさらに奏功させることができる。
０．６＜ｄｓＷ/ｆＷ  ・・・（２）’
ｄｓＷ/ｆＷ＜１．０  ・・・（２）’’
【０１２７】
例えば実施の形態１〜８に係るズームレンズ系のように、基本構成を有し、第３レンズ群が、物体側から像側へと順に、正のパワーを有する３Ａ群と、正のパワーを有する３Ｂ群と、正のパワーを有する３Ｃ群とからなり、該３Ｂ群が、像のぶれを光学的に補正するために光軸に対して垂直方向に移動する像ぶれ補正レンズ群であるズームレンズ系は、以下の条件（３）を満足することが有益である。
０．５＜ｆ３Ｃ／ｆ３Ｂ＜６．０  ・・・（３）
ここで、
ｆ３Ｃ：３Ｃ群の焦点距離、
ｆ３Ｂ：３Ｂ群の焦点距離
である。
【０１２８】
前記条件（３）は、３Ｃ群の焦点距離と３Ｂ群の焦点距離を規定する条件である。条件（３）の下限を下回ると、像ぶれ補正の際に、３Ｂ群の移動量が大きくなってしまう。逆に条件（３）の上限を上回ると、像ぶれ補正の際に、収差発生量が大きくなってしまう。
【０１２９】
以下の条件（３）’及び（３）’’の少なくとも１つを満足することにより、前記効果をさらに奏功させることができる。
０．８＜ｆ３Ｃ／ｆ３Ｂ  ・・・（３）’
ｆ３Ｃ／ｆ３Ｂ＜５．０  ・・・（３）’’
【０１３０】
例えば実施の形態１〜８に係るズームレンズ系のように、基本構成を有し、第４レンズ群が、無限遠合焦状態から近接物体合焦状態へのフォーカシングの際に光軸に沿って像側へ移動するフォーカシングレンズ群であるズームレンズ系は、以下の条件（４）を満足することが有益である。
１．０＜β４Ｗ＜２．５  ・・・（４）
ここで、
β４Ｗ：広角端における無限遠合焦状態での第４レンズ群の近軸倍率
である。
【０１３１】
前記条件（４）は、広角端における無限遠合焦状態での第４レンズ群の近軸倍率を規定する条件である。条件（４）の下限を下回ると、フォーカシングの際に、第４レンズ群の移動量が増大し、レンズ系の全長が長くなってしまう。逆に条件（４）の上限を上回ると、フォーカシングの際に、収差が大きく発生してしまう。
【０１３２】
以下の条件（４）’及び（４）’’の少なくとも１つを満足することにより、前記効果をさらに奏功させることができる。
１．３＜β４Ｗ  ・・・（４）’
β４Ｗ＜２．１  ・・・（４）’’
【０１３３】
例えば実施の形態１〜８に係るズームレンズ系のように、基本構成を有し、撮像時の広角端から望遠端へのズーミングの際に、第２レンズ群が、像側に凸の軌跡を描いて像面に対して移動するズームレンズ系は、以下の条件（５）を満足することが有益である。
０．１５＜（ＴｓＷ−ＴｓＭ）/ｆＷ＜１．３０  ・・・（５）
ここで、
ＴｓＷ：広角端における第２レンズ群の最物体側から像面までの光軸上の距離、
ＴｓＭ：中間位置における第２レンズ群の最物体側から像面までの光軸上の距離、
ｆＷ：広角端における無限遠合焦状態でのズームレンズ系の焦点距離
であり、中間位置は、ズームレンズ系が、次式：
【数２】
2015045297.tif 000042
（ここで、
ｆＭ：中間位置における無限遠合焦状態でのズームレンズ系の焦点距離、
ｆＷ：広角端における無限遠合焦状態でのズームレンズ系の焦点距離、
ｆＴ：望遠端における無限遠合焦状態でのズームレンズ系の焦点距離
である）
で規定される焦点距離を有する位置である。
【０１３４】
前記条件（５）は、広角端における第２レンズ群の最物体側から像面までの距離と中間位置における第２レンズ群の最物体側から像面までの距離との差を規定する条件である。条件（５）の下限を下回ると、中間位置においてコマ収差が発生してしまう。逆に上限（５）の上限を上回ると、中間位置において球面収差が発生してしまう。
【０１３５】
以下の条件（５）’及び（５）’’の少なくとも１つを満足することにより、前記効果をさらに奏功させることができる。
０．２０＜（ＴｓＷ−ＴｓＭ）/ｆＷ  ・・・（５）’
（ＴｓＷ−ＴｓＭ）/ｆＷ＜１．１０  ・・・（５）’’
【０１３６】
実施の形態１〜８に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１３７】
（実施の形態９）
図３３は、実施の形態９に係るレンズ交換式デジタルカメラシステムの概略構成図である。
【０１３８】
本実施の形態９に係るレンズ交換式デジタルカメラシステム１００は、カメラ本体１０１と、カメラ本体１０１に着脱自在に接続される交換レンズ装置２０１とを備える。
【０１３９】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜８いずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図３３においては、ズームレンズ系２０２として実施の形態１に係るズームレンズ系を用いた場合を図示している。
【０１４０】
本実施の形態９では、実施の形態１〜８いずれかに係るズームレンズ系２０２を用いているので、コンパクトで結像性能に優れた交換レンズ装置を低コストで実現することができる。また、本実施の形態９に係るカメラシステム１００全体の小型化及び低コスト化も達成することができる。なお、これら実施の形態１〜８に係るズームレンズ系は、全てのズーミング域を使用する必要はない。すなわち、所望のズーミング域に応じて、光学性能が確保されている範囲を切り出し、以下の対応する数値実施例１〜８で説明するズームレンズ系よりも低倍率のズームレンズ系として使用してもよい。
【０１４１】
以上のように、本出願において開示する技術の例示として、実施の形態９を説明した。しかしながら、本開示における技術は、これに限定されず、適宜、変更、置き換え、付加、省略などを行った実施の形態にも適用可能である。
【０１４２】
以下、実施の形態１〜８に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数３】
2015045297.tif 000043
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１４３】
図２、６、１０、１４、１８、２２、２６及び３０は、各々数値実施例１〜８に係るズームレンズ系の無限遠合焦状態の縦収差図である。
【０１４４】
図３、７、１１、１５、１９、２３、２７及び３１は、各々数値実施例１〜８に係るズームレンズ系の近接物体合焦状態の縦収差図である。なお、各数値実施例における物体距離は、以下に示すとおりである。
数値実施例１    １０００ｍｍ
数値実施例２    １０００ｍｍ
数値実施例３    １０００ｍｍ
数値実施例４    １０００ｍｍ
数値実施例５    １０００ｍｍ
数値実施例６    １０００ｍｍ
数値実施例７      ５００ｍｍ
数値実施例８      ５００ｍｍ
【０１４５】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１４６】
図４、８、１２、１６、２０、２４、２８及び３２は、各々数値実施例１〜８に係るズームレンズ系の望遠端における横収差図である。
【０１４７】
各横収差図において、上段３つの収差図は、望遠端における像ぶれ補正を行っていない基本状態、下段３つの収差図は、前記３Ｂ群である像ぶれ補正レンズ群（数値実施例１〜６：第３レンズ群Ｇ３の第１３レンズ素子Ｌ１３及び第１４レンズ素子Ｌ１４、数値実施例７、８：第３レンズ群Ｇ３の第１３レンズ素子Ｌ１３）を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と、第３レンズ群Ｇ３の光軸とを含む平面としている。
【０１４８】
なお、各数値実施例のズームレンズ系について、望遠端における、像ぶれ補正状態での像ぶれ補正レンズ群の光軸と垂直な方向への移動量は、以下に示すとおりである。
数値実施例１    ０．４１２９ｍｍ
数値実施例２    ０．４１２５ｍｍ
数値実施例３    ０．４８３７ｍｍ
数値実施例４    ０．５６８１ｍｍ
数値実施例５    ０．４３２９ｍｍ
数値実施例６    ０．５９１９ｍｍ
数値実施例７    ０．１７９３ｍｍ
数値実施例８    ０．１９１５ｍｍ
【０１４９】
撮影距離が∞で望遠端において、ズームレンズ系が所定の角度だけ傾いた場合の像偏心量は、像ぶれ補正レンズ群が光軸と垂直な方向に上記の各値だけ平行移動するときの像偏心量に等しい。
【０１５０】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、所定の角度までの像ぶれ補正角に対して、結像特性を低下させることなく充分な像ぶれ補正を行うことが可能である。
【０１５１】
（数値実施例１）
数値実施例１のズームレンズ系は、図１に示した実施の形態１に対応する。数値実施例１のズームレンズ系の面データを表１に、非球面データを表２に、無限遠合焦状態での各種データを表３に、近接物体合焦状態での各種データを表４に示す。
【０１５２】
表  １（面データ）
面番号          r            d           nd         vd                
物面             ∞                                               
1        105.35210     1.80000     1.69895    30.0               
2         62.64560     6.20090     1.43700    95.1               
3       -397.51920     0.20000                                   
4         63.82360     3.94270     1.59282    68.6               
5        201.71420        可変                                   
6         96.51260     1.00000     1.88300    40.8               
7         12.47840     7.33480                                   
8*       -28.06390     1.00000     1.77200    50.0               
9*       -98.31310     0.20000                                   
10         91.98080     2.89590     1.92286    20.9               
11        -32.50140     1.76260                                   
12        -17.06200     0.70000     1.77250    49.6               
13        -38.50660        可変                                   
14(絞り)           ∞        可変                                   
15         16.77610     3.39390     1.58144    40.9               
16       5986.57370     0.80000     1.77200    50.0               
17*       491.25280     1.55850                                   
18         51.84430     3.43290     1.49700    81.6               
19        -26.05530     0.65520                                   
20        522.12710     0.60910     1.90366    31.3               
21         12.88130     2.17700     1.51680    64.2               
22         24.55750     0.90310                                   
23*        21.25310     5.21900     1.52500    70.3               
24        -14.39430     0.60000     1.59551    39.2               
25        -31.37740     1.21060                                   
26       -634.59720     1.77180     1.51823    59.0               
27        -29.06530        可変                                   
28         51.73670     0.60000     1.55332    71.7               
29*        11.83360        可変                                   
30        -15.97280     0.60000     1.77250    49.6               
31        -36.84410     0.20000                                   
32        112.03320     1.36430     1.72825    28.3               
33       -129.48670        可変                                   
34       -133.45960     2.39610     1.74950    35.0               
35        -35.08460        (BF)                                   
像面             ∞                                               
【０１５３】
表  ２（非球面データ）
第8面
K= 0.00000E+00, A4= 5.51279E-05, A6=-5.81384E-07, A8=-1.58186E-10 
A10= 9.96757E-13 
第9面
K= 0.00000E+00, A4= 2.18841E-05, A6=-6.64572E-07, A8= 0.00000E+00 
A10= 0.00000E+00 
第17面
K= 0.00000E+00, A4= 5.30316E-05, A6= 2.63684E-08, A8= 4.12965E-10 
A10=-2.28732E-12 
第23面
K= 0.00000E+00, A4=-2.98927E-05, A6=-1.45365E-08, A8= 0.00000E+00 
A10= 0.00000E+00 
第29面
K= 0.00000E+00, A4=-2.83493E-05, A6= 1.25456E-07, A8=-8.37230E-09 
A10= 8.44871E-11 
【０１５４】
表  ３（無限遠合焦状態での各種データ）
ズーム比    19.23083
広角      中間      望遠
焦点距離      12.4800   54.7239  240.0000
Ｆナンバー     3.64038   5.72029   6.55288
画角        44.1636   10.8531    2.5897
像高        10.8150   10.8150   10.8150
レンズ全長    113.7994  137.2772  188.7954
ＢＦ       14.50800  14.50800  14.50800
d5           0.4500   31.9868   67.2115 
d13         23.9411    6.2476    1.0000 
d14         11.8655    1.5000    1.5000 
d27          1.8889    6.8936    1.6020 
d29          6.1681    6.9778   13.0755 
d33          0.4500   14.6346   35.3696 
ズームレンズ群データ
群    始面      焦点距離
1       1     101.14497
2       6     -14.45218
3      15      19.47259
4      28     -27.87827
5      30     -68.61370
6      34      62.84949
【０１５５】
表  ４（近接物体合焦状態での各種データ）
広角 中間 望遠
物体距離      1000.0000 1000.0000 1000.0000
ＢＦ       14.50800  14.50800  14.50800
d5           0.4500   31.9868   67.2115 
d13         23.9411    6.2476    1.0000 
d14         11.8655    1.5000    1.5000 
d27          1.9528    7.4848    5.5517 
d29          6.1041    6.3866    9.1257 
d33          0.4500   14.6346   35.3696 
【０１５６】
（数値実施例２）
数値実施例２のズームレンズ系は、図５に示した実施の形態２に対応する。数値実施例２のズームレンズ系の面データを表５に、非球面データを表６に、無限遠合焦状態での各種データを表７に、近接物体合焦状態での各種データを表８に示す。
【０１５７】
表  ５（面データ）
面番号         r           d           nd         vd                
物面             ∞                                               
1         98.25810     1.80000     1.69895    30.0               
2         59.66840     6.56190     1.43700    95.1               
3       -497.63180     0.20000                                   
4         62.48830     3.90980     1.59282    68.6               
5        193.23860        可変                                   
6         57.75970     1.00000     1.88300    40.8               
7         12.27720     7.44040                                   
8*       -29.38520     1.00000     1.80998    40.9               
9*       101.00250     0.20000                                   
10         51.10010     3.22380     1.92286    20.9               
11        -33.53880     1.46470                                   
12        -17.82810     0.70000     1.80420    46.5               
13        -37.05810        可変                                   
14(絞り)           ∞        可変                                   
15         17.58940     6.00610     1.59551    39.2               
16       -409.18210     0.80000     1.80998    40.9               
17*              ∞     1.49060                                   
18         57.25350     2.87510     1.49700    81.6               
19        -24.43040     0.11870                                   
20       -114.55590     0.60000     1.90366    31.3               
21         14.85000     2.14990     1.51823    59.0               
22         36.70930     0.51870                                   
23*        22.37060     4.81650     1.52500    70.3               
24        -15.29860     0.60000     1.60342    38.0               
25        -32.69940     1.29390                                   
26       -570.97450     1.81540     1.51742    52.1               
27        -26.91010        可変                                   
28         71.88050     0.60000     1.55332    71.7               
29*        11.91810        可変                                   
30        -17.11980     0.60000     1.72916    54.7               
31        -39.95540     0.20000                                   
32         42.94640     1.82980     1.90366    31.3               
33      -1119.37220        可変                                   
34        369.32240     1.33980     1.48749    70.4               
35       -136.08810        (BF)                                   
像面             ∞                                               
【０１５８】
表  ６（非球面データ）
第8面
K= 0.00000E+00, A4= 1.31872E-05, A6=-1.60235E-07, A8=-1.01682E-09 
A10= 7.24155E-12 
第9面
K= 0.00000E+00, A4=-7.53265E-06, A6=-2.33663E-07, A8= 0.00000E+00 
A10= 0.00000E+00 
第17面
K= 0.00000E+00, A4= 5.41837E-05, A6= 5.53098E-08, A8= 8.28082E-11 
A10=-3.39798E-13 
第23面
K= 0.00000E+00, A4=-2.79144E-05, A6=-8.65744E-09, A8= 0.00000E+00 
A10= 0.00000E+00 
第29面
K= 0.00000E+00, A4=-3.35207E-05, A6= 2.37928E-08, A8=-5.65197E-09 
A10= 4.49193E-11 
【０１５９】
表  ７（無限遠合焦状態での各種データ）
ズーム比    19.23081
広角      中間      望遠
焦点距離      12.4801   54.7286  240.0022
Ｆナンバー     3.64042   5.72066   6.55290
画角        44.0328   10.9710    2.5801
像高        10.8150   10.8150   10.8150
レンズ全長    118.3307  135.8904  193.1763
ＢＦ       13.70000  13.70000  13.70000
d5           0.4500   31.3121   65.8955 
d13         26.2890    4.8992    0.9999 
d14         10.7267    1.5040    1.5000 
d27          1.5985    8.2555    1.6011 
d29          9.9609   10.1444   14.5932 
d33          0.4499   10.9193   39.7302 
ズームレンズ群データ
群    始面      焦点距離
1       1     100.00599
2       6     -13.61143
3      15      19.39662
4      28     -25.91280
5      30    -557.53071
6      34     204.17083
【０１６０】
表  ８（近接物体合焦状態での各種データ）
広角 中間 望遠
物体距離      1000.0000 1000.0000 1000.0000
ＢＦ       13.70000  13.70000  13.70000
d5           0.4500   31.3121   65.8955 
d13         26.2890    4.8992    0.9999 
d14         10.7267    1.5040    1.5000 
d27          1.6501    8.8523    5.2336 
d29          9.9094    9.5476   10.9608 
d33          0.4499   10.9193   39.7302
【０１６１】
（数値実施例３）
数値実施例３のズームレンズ系は、図９に示した実施の形態３に対応する。数値実施例３のズームレンズ系の面データを表９に、非球面データを表１０に、無限遠合焦状態での各種データを表１１に、近接物体合焦状態での各種データを表１２に示す。
【０１６２】
表  ９（面データ）
面番号         r           d           nd         vd                
物面             ∞                                               
1         95.87260     1.80000     1.68893    31.2               
2         56.46380     6.11150     1.49700    81.6               
3       -499.07370     0.20000                                   
4         62.87330     3.61620     1.49700    81.6               
5        190.29600        可変                                   
6         48.94690     1.00000     1.88300    40.8               
7         13.94830     6.25190                                   
8        -46.93480     0.70000     1.83481    42.7               
9         62.72270     0.20000                                   
10         28.83120     2.90590     1.94595    18.0               
11       -193.36590     2.02880                                   
12        -21.49080     0.70000     1.80420    46.5               
13        -62.23230        可変                                   
14(絞り)           ∞     1.50000                                   
15         15.74690     1.40400     1.92286    20.9               
16         22.24900     0.67690                                   
17         45.70860     0.80000     1.80998    40.9               
18*        31.15860     0.20000                                   
19         16.97020     3.42900     1.48749    70.4               
20        -44.43150     0.20000                                   
21         39.75760     0.60000     1.80518    25.5               
22         10.93730     2.05360     1.48749    70.4               
23         18.67200     1.53440                                   
24*        24.14370     4.60660     1.52500    70.3               
25        -15.41210     0.60000     1.56732    42.8               
26        -37.60110     1.47800                                   
27        102.87280     1.82000     1.51823    59.0               
28        -30.17850        可変                                   
29         72.46470     0.70000     1.52500    70.3               
30*        12.83920        可変                                   
31        -14.96970     0.70000     1.59282    68.6               
32        -26.84930        可変                                   
33        -99.78090     3.12200     1.71736    29.5               
34        -31.86000        (BF)                                   
像面             ∞                                               
【０１６３】
表  １０（非球面データ）
第18面
K= 0.00000E+00, A4= 4.95875E-05, A6= 9.01806E-08, A8=-2.48303E-10 
A10= 4.55887E-12 
第24面
K= 0.00000E+00, A4=-2.41997E-05, A6= 0.00000E+00, A8= 0.00000E+00 
A10= 0.00000E+00 
第30面
K= 0.00000E+00, A4=-2.17117E-05, A6=-9.96190E-08, A8= 0.00000E+00 
A10= 0.00000E+00 
【０１６４】
表  １１（無限遠合焦状態での各種データ）
ズーム比    16.48339
広角      中間      望遠
焦点距離      14.5600   59.1134  239.9977
Ｆナンバー     3.64005   5.72043   6.55272
画角        39.7670   10.0946    2.5655
像高        10.8150   10.8150   10.8150
レンズ全長    110.0003  136.5146  180.0000
ＢＦ       18.81900  18.81900  18.81900
d5           0.4500   30.3728   64.1617 
d13         31.3272    7.5758    1.0000 
d28          1.5536    6.2259    1.6000 
d30          6.4616    6.9293   13.9918 
d32          0.4500   15.6534   29.4894 
ズームレンズ群データ
群    始面      焦点距離
1       1      99.70766
2       6     -14.35792
3      14      18.25371
4      29     -29.84199
5      31     -58.35108
6      33      64.01667
【０１６５】
表  １２（近接物体合焦状態での各種データ）
広角 中間 望遠
物体距離      1000.0000 1000.0000 1000.0000
ＢＦ       18.81900  18.81900  18.81900
d5           0.4500   30.3728   64.1617 
d13         31.3272    7.5758    1.0000 
d28          1.6277    6.8570    6.2063 
d30          6.3875    6.2982    9.3854 
d32          0.4500   15.6534   29.4894
【０１６６】
（数値実施例４）
数値実施例４のズームレンズ系は、図１３に示した実施の形態４に対応する。数値実施例４のズームレンズ系の面データを表１３に、非球面データを表１４に、無限遠合焦状態での各種データを表１５に、近接物体合焦状態での各種データを表１６に示す。
【０１６７】
表  １３（面データ）
面番号         r           d           nd         vd                
物面             ∞                                               
1         95.96630     1.80000     1.68893    31.2               
2         56.87540     6.84810     1.49700    81.6               
3       -523.57190     0.20000                                   
4         64.07260     3.68230     1.49700    81.6               
5        192.74060        可変                                   
6         45.16420     1.00000     1.88300    40.8               
7         14.36030     6.92730                                   
8        -44.64470     0.70000     1.83481    42.7               
9         53.96410     0.20000                                   
10         29.61670     3.15930     1.94595    18.0               
11       -140.89780     2.83350                                   
12        -20.59430     0.70000     1.80420    46.5               
13        -58.34400        可変                                   
14(絞り)           ∞     1.50000                                   
15         16.61690     1.40240     1.92286    20.9               
16         22.05450     1.00600                                   
17         84.84020     0.80000     1.77200    50.0               
18*        52.81340     0.20000                                   
19         18.30570     3.65060     1.48749    70.4               
20        -35.77840     0.20000                                   
21         61.41940     0.60000     1.76182    26.6               
22         11.34980     2.30500     1.48749    70.4               
23         21.65900     1.41300                                   
24*        28.68950     3.97980     1.52500    70.3               
25        -16.36100     0.60000     1.54814    45.8               
26        -50.90290     1.43140                                   
27         71.48130     2.21660     1.51742    52.1               
28        -27.20190        可変                                   
29         81.94760     0.70000     1.52500    70.3               
30*        14.30740        可変                                   
31        -14.09210     0.70000     1.59282    68.6               
32        -20.54580        可変                                   
33        -35.10710     1.36270     1.92286    20.9               
34        -26.30520        (BF)                                   
像面             ∞                                               
【０１６８】
表  １４（非球面データ）
第18面
K= 0.00000E+00, A4= 5.12780E-05, A6= 9.07440E-08, A8=-4.56669E-10 
A10= 5.08991E-12 
第24面
K= 0.00000E+00, A4=-1.64653E-05, A6= 0.00000E+00, A8= 0.00000E+00 
A10= 0.00000E+00 
第30面
K= 0.00000E+00, A4=-1.95053E-05, A6=-7.39585E-08, A8= 0.00000E+00 
A10= 0.00000E+00 
【０１６９】
表  １５（無限遠合焦状態での各種データ）
ズーム比    16.48355
広角      中間      望遠
焦点距離      14.5600   59.1136  240.0006
Ｆナンバー     3.64034   5.72056   6.55286
画角        39.6355   10.0724    2.5618
像高        10.8150   10.8150   10.8150
レンズ全長    114.8680  141.7919  185.0009
ＢＦ       20.74400  20.74400  20.74400 
d5           0.4500   33.1280   64.5054 
d13         32.0705    8.0673    1.0000 
d28          1.6000    6.0535    1.5864 
d30          7.4357    7.5517   14.2107 
d32          0.4500   14.1292   30.8358 
ズームレンズ群データ
群    始面      焦点距離
1       1     101.25112
2       6     -14.11057
3      14      18.76936
4      29     -33.13437
5      31     -78.86057
6      33     105.82716
【０１７０】
表  １６（近接物体合焦状態での各種データ）
広角 中間 望遠
物体距離      1000.0000 1000.0000 1000.0000
ＢＦ       20.74400  20.74400  20.74400 
d5           0.4500   33.1280   64.5054 
d13         32.0705    8.0673    1.0000 
d28          1.6745    6.7290    6.2916 
d30          7.3612    6.8762    9.5055 
d32          0.4500   14.1292   30.8358
【０１７１】
（数値実施例５）
数値実施例５のズームレンズ系は、図１７に示した実施の形態５に対応する。数値実施例５のズームレンズ系の面データを表１７に、非球面データを表１８に、無限遠合焦状態での各種データを表１９に、近接物体合焦状態での各種データを表２０に示す。
【０１７２】
表  １７（面データ）
面番号         r           d           nd         vd                
物面             ∞                                               
1         95.71330     1.80000     1.72825    28.3               
2         60.36940     6.35540     1.43700    95.1               
3       -345.33170     0.20000                                   
4         62.10270     3.84320     1.59282    68.6               
5        198.42930        可変                                   
6         51.14930     1.00000     1.88300    40.8               
7         14.44050     6.55350                                   
8        -32.89640     0.70000     1.80420    46.5               
9         76.08850     0.20000                                   
10         33.58340     3.22670     1.94595    18.0               
11        -61.97350     1.33260                                   
12        -23.40060     0.70000     1.90366    31.3               
13        -80.22440        可変                                   
14(絞り)           ∞     1.50000                                   
15         15.22880     1.37980     1.92286    20.9               
16         20.95170     0.85640                                   
17         56.71130     0.80000     1.80998    40.9               
18*        37.55420     0.20000                                   
19         18.08380     3.36100     1.48749    70.4               
20        -38.78720     0.20000                                   
21         42.18230     0.60000     1.80518    25.5               
22         11.15930     2.01060     1.48749    70.4               
23         19.23320     1.71340                                   
24*        22.59140     4.07720     1.52500    70.3               
25        -15.17170     0.60000     1.56732    42.8               
26        -34.61350     1.59610                                   
27       -345.12130     1.66090     1.51823    59.0               
28        -25.10140        可変                                   
29         62.69400     0.70000     1.52500    70.3               
30*        12.43960        可変                                   
31        -14.26850     0.70000     1.59282    68.6               
32        -26.40620        可変                                   
33       -103.24790     2.61560     1.69895    30.0               
34        -29.17870        (BF)                                   
像面             ∞                                               
【０１７３】
表  １８（非球面データ）
第18面
K= 0.00000E+00, A4= 5.46420E-05, A6= 1.05384E-07, A8=-1.66369E-10 
A10= 1.85982E-12 
第24面
K= 0.00000E+00, A4=-3.00831E-05, A6= 0.00000E+00, A8= 0.00000E+00 
A10= 0.00000E+00 
第30面
K= 0.00000E+00, A4=-2.19909E-05, A6=-1.24526E-07, A8= 0.00000E+00 
A10= 0.00000E+00 
【０１７４】
表  １９（無限遠合焦状態での各種データ）
ズーム比    14.50544
広角      中間      望遠
焦点距離      14.5601   55.4438  211.2007
Ｆナンバー     3.64048   4.99258   5.82476
画角        39.8202   10.6933    2.9049
像高        10.8150   10.8150   10.8150
レンズ全長    109.0119  130.7805  169.0612
ＢＦ       17.78500  17.78500  17.78500
d5           0.4500   28.5592   59.7883 
d13         31.0760    7.6010    1.0000 
d28          1.6000    6.1696    1.5951 
d30          7.1690    7.3746   13.8411 
d32          0.4500   12.8088   24.5691 
ズームレンズ群データ
群    始面      焦点距離
1       1      94.53741
2       6     -14.54130
3      14      18.13950
4      29     -29.70178
5      31     -53.51129
6      33      57.35872
【０１７５】
表  ２０（近接物体合焦状態での各種データ）
広角 中間 望遠
物体距離      1000.0000 1000.0000 1000.0000
ＢＦ       17.78500  17.78500  17.78500
d5           0.4500   28.5592   59.7883 
d13         31.0760    7.6010    1.0000 
d28          1.6760    6.8000    5.8869 
d30          7.0929    6.7441    9.5493 
d32          0.4500   12.8088   24.5691
【０１７６】
（数値実施例６）
数値実施例６のズームレンズ系は、図２１に示した実施の形態６に対応する。数値実施例６のズームレンズ系の面データを表２１に、非球面データを表２２に、無限遠合焦状態での各種データを表２３に、近接物体合焦状態での各種データを表２４に示す。
【０１７７】
表  ２１（面データ）
面番号         r           d           nd         vd                
物面             ∞                                               
1        100.10600     1.80000     1.72825    28.3               
2         61.77980     6.84610     1.43700    95.1               
3       -325.53280     0.20000                                   
4         61.49780     3.93670     1.59282    68.6               
5        196.38630        可変                                   
6         47.49150     1.00000     1.88300    40.8               
7         14.70230     7.32560                                   
8        -32.87410     0.70000     1.80420    46.5               
9         63.18990     0.20000                                   
10         33.01960     3.55460     1.94595    18.0               
11        -58.96660     2.12730                                   
12        -22.37940     0.70000     1.90366    31.3               
13        -77.30020        可変                                   
14(絞り)           ∞     1.50000                                   
15         17.12760     1.32130     1.92286    20.9               
16         23.23610     1.11050                                   
17        135.05370     0.80000     1.77200    50.0               
18*        69.75360     0.20000                                   
19         18.80290     3.77690     1.48749    70.4               
20        -34.77110     0.20000                                   
21         55.54330     0.60000     1.80518    25.5               
22         11.81610     2.26300     1.48749    70.4               
23         22.15110     1.45390                                   
24*        30.11060     3.31440     1.52500    70.3               
25        -23.74610     0.60000     1.51742    52.1               
26        -69.41580     1.43030                                   
27         58.44510     2.46270     1.51823    59.0               
28        -25.81810        可変                                   
29         72.41410     0.70000     1.52500    70.3               
30*        13.88050        可変                                   
31        -13.55290     0.70000     1.59282    68.6               
32        -19.20530        可変                                   
33        -30.10170     1.33140     1.92286    20.9               
34        -23.63860        (BF)                                   
像面             ∞                                               
【０１７８】
表  ２２（非球面データ）
第18面
K= 0.00000E+00, A4= 5.23312E-05, A6= 9.21158E-08, A8=-4.97643E-10 
A10= 4.53955E-12 
第24面
K= 0.00000E+00, A4=-1.55941E-05, A6= 0.00000E+00, A8= 0.00000E+00 
A10= 0.00000E+00 
第30面
K= 0.00000E+00, A4=-2.04630E-05, A6=-8.36585E-08, A8= 0.00000E+00 
A10= 0.00000E+00 
【０１７９】
表  ２３（無限遠合焦状態での各種データ）
ズーム比    14.50556
広角      中間      望遠
焦点距離      14.5600   55.4539  211.2016
Ｆナンバー     3.64006   4.99211   5.82460
画角        39.6409   10.6801    2.9009
像高        10.8150   10.8150   10.8150
レンズ全長    114.9997  136.5926  175.0007
ＢＦ       20.80300  20.80300  20.80300
d5           0.4500   30.5680   59.4364 
d13         32.1190    8.1117    1.0000 
d28          1.6000    5.9123    1.5856 
d30          7.4237    7.5518   13.6542 
d32          0.4500   11.4913   26.3664 
ズームレンズ群データ
群    始面      焦点距離
1       1      95.28064
2       6     -14.21943
3      14      18.62864
4      29     -32.84364
5      31     -81.43068
6      33     108.56518
【０１８０】
表  ２４（近接物体合焦状態での各種データ）
広角 中間 望遠
物体距離      1000.0000 1000.0000 1000.0000
ＢＦ       20.80300  20.80300  20.80300
d5           0.4500   30.5680   59.4364 
d13         32.1190    8.1117    1.0000 
d28          1.6738    6.5606    5.7980 
d30          7.3498    6.9035    9.4419 
d32          0.4500   11.4913   26.3664
【０１８１】
（数値実施例７）
数値実施例７のズームレンズ系は、図２５に示した実施の形態７に対応する。数値実施例７のズームレンズ系の面データを表２５に、非球面データを表２６に、無限遠合焦状態での各種データを表２７に、近接物体合焦状態での各種データを表２８に示す。
【０１８２】
表  ２５（面データ）
面番号         r           d           nd         vd                
物面             ∞                                               
1        282.44890     2.00000     1.84666    23.8               
2         93.75220     5.98140     1.72916    54.7               
3       -797.31610     0.20000                                   
4         61.59120     4.77760     1.72916    54.7               
5        155.18030        可変                                   
6*       162.27490     1.00000     1.80998    40.9               
7*        12.93880     8.72100                                   
8        -14.36860     0.70000     1.61800    63.4               
9        -49.59270     0.20000                                   
10        128.26380     2.69590     1.92286    20.9               
11        -26.19710     0.54460                                   
12        -19.94190     0.70000     2.00100    29.1               
13        -35.03920        可変                                   
14(絞り)           ∞        可変                                   
15         25.12110     2.64710     2.00100    29.1               
16        106.79340     1.14060                                   
17        -84.18940     1.00000     1.77200    50.0               
18*        77.83220     0.20010                                   
19         21.16180     6.48230     1.49700    81.6               
20        -26.54690     0.20000                                   
21         87.69960     0.60000     1.80518    25.5               
22         12.73930     3.11840     1.43700    95.1               
23         23.86640     2.98500                                   
24*        20.77500     4.22820     1.55332    71.7               
25*       -42.99280     0.84680                                   
26        110.33790     1.68360     1.49700    81.6               
27        -78.98650        可変                                   
28         39.75650     0.70000     1.71300    53.9               
29         17.52600        可変                                   
30       -107.47930     0.80000     1.69680    55.5               
31        219.68610        可変                                   
32*        80.30470     3.49560     1.68893    31.1               
33*      -111.76820        (BF)                                   
像面             ∞                                               
【０１８３】
表  ２６（非球面データ）
第6面
K= 0.00000E+00, A4= 2.92295E-05, A6=-2.77938E-07, A8= 4.36039E-09 
A10=-2.86037E-11, A12= 9.00389E-14, A14=-1.03590E-16 
第7面
K= 0.00000E+00, A4=-1.21297E-06, A6=-2.42077E-07, A8= 2.98497E-09 
A10= 1.59841E-11, A12= 0.00000E+00, A14= 0.00000E+00 
第18面
K= 0.00000E+00, A4= 3.55443E-05, A6= 5.69761E-08, A8=-2.07667E-10 
A10= 1.79910E-12, A12= 0.00000E+00, A14= 0.00000E+00 
第24面
K= 0.00000E+00, A4=-3.23626E-05, A6= 1.51506E-07, A8=-2.18641E-09 
A10= 1.68982E-11, A12= 0.00000E+00, A14= 0.00000E+00 
第25面
K= 0.00000E+00, A4=-1.60795E-06, A6= 1.63238E-07, A8=-2.48749E-09 
A10= 1.93681E-11, A12= 0.00000E+00, A14= 0.00000E+00 
第32面
K= 0.00000E+00, A4= 2.66227E-06, A6= 1.52082E-07, A8=-4.23704E-10 
A10= 1.06768E-12, A12= 0.00000E+00, A14= 0.00000E+00 
第33面
K= 0.00000E+00, A4= 2.26701E-06, A6= 8.25159E-08, A8= 0.00000E+00 
A10= 0.00000E+00, A12= 0.00000E+00, A14= 0.00000E+00 
【０１８４】
表  ２７（無限遠合焦状態での各種データ）
ズーム比     5.38446
広角      中間      望遠
焦点距離      12.4801   28.9595   67.1984
Ｆナンバー     2.91218   2.91228   2.91205
画角        43.8372   20.0953    8.9244
像高        10.8150   10.8150   10.8150
レンズ全長    102.8332  118.3778  148.9552
ＢＦ       13.82700  13.82700  13.82700 
d5           0.4500   19.6197   46.9149 
d13         15.6326    5.2869    1.0000 
d14          8.0000    3.0017    1.5000 
d27          2.1000    3.7588    2.0921 
d29          4.7260    8.6276   17.8921 
d31          0.4500    6.6080    8.0798 
ズームレンズ群データ
群    始面      焦点距離
1       1     100.90064
2       6     -14.85327
3      15      20.56261
4      28     -44.54325
5      30    -103.47001
6      32      68.33662
【０１８５】
表  ２８（近接物体合焦状態での各種データ）
広角 中間 望遠
物体距離       500.0000  500.0000  500.0000
ＢＦ       13.82700  13.82700  13.82700 
d5           0.4500   19.6197   46.9149 
d13         15.6326    5.2869    1.0000 
d14          8.0000    3.0017    1.5000 
d27          2.3773    4.6438    4.8960 
d29          4.4486    7.7426   15.0882 
d31          0.4500    6.6080    8.0798 
【０１８６】
（数値実施例８）
数値実施例８のズームレンズ系は、図２９に示した実施の形態８に対応する。数値実施例８のズームレンズ系の面データを表２９に、非球面データを表３０に、無限遠合焦状態での各種データを表３１に、近接物体合焦状態での各種データを表３２に示す。
【０１８７】
表  ２９（面データ）
面番号         r           d           nd         vd                
物面             ∞                                               
1        227.61690     2.00000     1.84666    23.8               
2         86.81160     6.87020     1.72916    54.7               
3      -1546.01880     0.20000                                   
4         63.95050     5.10230     1.72916    54.7               
5        158.74650        可変                                   
6*       113.18320     1.00000     1.80998    40.9               
7*        12.92370     9.79380                                   
8        -14.37730     0.70000     1.61800    63.4               
9        -50.65100     0.28040                                   
10        193.10770     2.71420     1.92286    20.9               
11        -24.45220     0.31770                                   
12        -21.29610     0.70000     2.00100    29.1               
13        -42.76920        可変                                   
14(絞り)           ∞        可変                                   
15         28.55430     3.71730     2.00100    29.1               
16        127.42490     1.64310                                   
17        -48.11500     1.00000     1.77200    50.0               
18*      1749.95580     0.19990                                   
19         24.12910     6.64610     1.49700    81.6               
20        -23.26960     0.20000                                   
21        463.81640     0.60000     1.75520    27.5               
22         13.63220     7.62990     1.43700    95.1               
23         28.49360     1.80950                                   
24*        21.68160     4.28860     1.55332    71.7               
25*       -48.99160     0.95240                                   
26        226.24280     1.48990     1.49700    81.6               
27        -91.45470        可変                                   
28         42.51420     0.70000     1.72916    54.7               
29         21.80840        可変                                   
30        -56.43680     0.80000     1.59349    67.0               
31        -63.65110        可変                                   
32*       135.10710     3.50000     1.68893    31.1               
33*      -490.76620        (BF)                                   
像面             ∞                                               
【０１８８】
表  ３０（非球面データ）
第6面
K= 0.00000E+00, A4= 1.80892E-05, A6=-2.15932E-07, A8= 3.43296E-09 
A10=-2.27876E-11, A12= 7.40419E-14, A14=-9.29925E-17 
第7面
K= 0.00000E+00, A4=-1.11122E-05, A6=-3.22483E-07, A8= 3.77212E-09 
A10=-6.28073E-12, A12= 0.00000E+00, A14= 0.00000E+00 
第18面
K= 0.00000E+00, A4= 3.16852E-05, A6= 5.79090E-08, A8=-6.87722E-11 
A10= 1.45094E-12, A12= 0.00000E+00, A14= 0.00000E+00 
第24面
K= 0.00000E+00, A4=-2.63349E-05, A6= 8.77694E-08, A8=-1.58505E-09 
A10= 1.19450E-11, A12= 0.00000E+00, A14= 0.00000E+00 
第25面
K= 0.00000E+00, A4=-1.39303E-06, A6= 1.07626E-07, A8=-1.94758E-09 
A10= 1.41853E-11, A12= 0.00000E+00, A14= 0.00000E+00 
第32面
K= 0.00000E+00, A4= 7.59943E-06, A6=-1.33327E-07, A8= 9.60265E-11 
A10=-1.11965E-12, A12= 0.00000E+00, A14= 0.00000E+00 
第33面
K= 0.00000E+00, A4= 1.03724E-05, A6=-1.84573E-07, A8= 0.00000E+00 
A10= 0.00000E+00, A12= 0.00000E+00, A14= 0.00000E+00 
【０１８９】
表  ３１（無限遠合焦状態での各種データ）
ズーム比     5.38460
広角      中間      望遠
焦点距離      12.4800   28.9583   67.1996
Ｆナンバー     2.91212   2.91236   2.91207
画角        43.7258   20.1921    8.9222
像高        10.8150   10.8150   10.8150
レンズ全長    112.0649  127.2929  159.3963
ＢＦ       14.00000  14.00000  14.00000
d5           0.4500   18.5943   48.3326 
d13         16.7621    5.2699    1.0000 
d14          8.0000    2.9236    1.5000 
d27          2.0983    3.6697    2.1023 
d29          5.4423    9.5520   17.2418 
d31          0.4560    8.4273   10.3639 
ズームレンズ群データ
群    始面      焦点距離
1       1     102.65920
2       6     -14.54474
3      15      23.16166
4      28     -62.29865
5      30    -875.13741
6      32     154.12833
【０１９０】
表  ３２（近接物体合焦状態での各種データ）
広角 中間 望遠
物体距離       500.0000  500.0000  500.0000
ＢＦ       14.00000  14.00000  14.00000
d5           0.4500   18.5943   48.3326 
d13         16.7621    5.2699    1.0000 
d14          8.0000    2.9236    1.5000 
d27          2.4959    4.9150    6.4012 
d29          5.0446    8.3067   12.9429 
d31          0.4560    8.4273   10.3639 
【０１９１】
以下の表３３に、各数値実施例のズームレンズ系における各条件の対応値を示す。
【０１９２】
表  ３３（条件の対応値）
【表１】
2015045297.tif 000044
【０１９３】
以上のように、本開示における技術の例示として、実施の形態を説明した。そのために、添付図面および詳細な説明を提供した。
【０１９４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１９５】
また、上述の実施の形態は、本開示における技術を例示するためのものであるから、特許請求の範囲またはその均等の範囲において種々の変更、置き換え、付加、省略などを行うことができる。
【産業上の利用可能性】
【０１９６】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【０１９７】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１９８】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
ＧＡ    絞り群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ｌ１９  第１９レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【手続補正２】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とを備え、
以下の条件（１）を満足する、ズームレンズ系：
３．５＜｜ｆ６／ｆ２｜＜１５．５  ・・・（１）
ここで、
ｆ２：第２レンズ群の焦点距離、
ｆ６：第６レンズ群の焦点距離
である。
【請求項２】
開口絞りが、前記第２レンズ群と前記第３レンズ群との間に配置されており、撮像時の広角端から望遠端へのズーミングの際に各レンズ群と独立して光軸に沿って移動し、
以下の条件（２）を満足する、請求項１に記載のズームレンズ系：
０．５＜ｄｓＷ/ｆＷ＜１．２  ・・・（２）
ここで、
ｄｓＷ：広角端における開口絞りと第３レンズ群の最物体側との間の光軸上の距離、
ｆＷ：広角端における無限遠合焦状態でのズームレンズ系の焦点距離
である。
【請求項３】
前記第３レンズ群が、物体側から像側へと順に、
正のパワーを有する３Ａ群と、
正のパワーを有する３Ｂ群と、
正のパワーを有する３Ｃ群とからなり、
前記３Ｂ群が、像のぶれを光学的に補正するために光軸に対して垂直方向に移動する像ぶれ補正レンズ群であり、
以下の条件（３）を満足する、請求項１に記載のズームレンズ系：
０．５＜ｆ３Ｃ／ｆ３Ｂ＜６．０  ・・・（３）
ここで、
ｆ３Ｃ：３Ｃ群の焦点距離、
ｆ３Ｂ：３Ｂ群の焦点距離
である。
【請求項４】
前記第４レンズ群が、無限遠合焦状態から近接物体合焦状態へのフォーカシングの際に光軸に沿って像側へ移動するフォーカシングレンズ群であり、
以下の条件（４）を満足する、請求項１に記載のズームレンズ系：
１．０＜β４Ｗ＜２．５  ・・・（４）
ここで、
β４Ｗ：広角端における無限遠合焦状態での第４レンズ群の近軸倍率
である。
【請求項５】
撮像時の広角端から望遠端へのズーミングの際に、前記第２レンズ群が、像側に凸の軌跡を描いて像面に対して移動し、
以下の条件（５）を満足する、請求項１に記載のズームレンズ系：
０．１５＜（ＴｓＷ−ＴｓＭ）/ｆＷ＜１．３０  ・・・（５）
ここで、
ＴｓＷ：広角端における第２レンズ群の最物体側から像面までの光軸上の距離、
ＴｓＭ：中間位置における第２レンズ群の最物体側から像面までの光軸上の距離、
ｆＷ：広角端における無限遠合焦状態でのズームレンズ系の焦点距離
であり、中間位置は、ズームレンズ系が、次式：
【数４】
2015045297.tif 000045
（ここで、
ｆＭ：中間位置における無限遠合焦状態でのズームレンズ系の焦点距離、
ｆＷ：広角端における無限遠合焦状態でのズームレンズ系の焦点距離、
ｆＴ：望遠端における無限遠合焦状態でのズームレンズ系の焦点距離
である）
で規定される焦点距離を有する位置である。
【請求項６】
撮像時の広角端から望遠端へのズーミングの際に、前記第６レンズ群が像面に対して固定されている、請求項１に記載のズームレンズ系。
【請求項７】
前記第５レンズ群が、物体側から像側へと順に、負のパワーを有するレンズ素子と正のパワーを有するレンズ素子とからなる、請求項１に記載のズームレンズ系。
【請求項８】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項９】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【手続補正３】
【補正対象書類名】図面
【補正対象項目名】全図
【補正方法】変更
【補正の内容】
【図１】
2015045297.tif 000046
【図２】
2015045297.tif 000047
【図３】
2015045297.tif 000048
【図４】
2015045297.tif 000049
【図５】
2015045297.tif 000050
【図６】
2015045297.tif 000051
【図７】
2015045297.tif 000052
【図８】
2015045297.tif 000053
【図９】
2015045297.tif 000054
【図１０】
2015045297.tif 000055
【図１１】
2015045297.tif 000056
【図１２】
2015045297.tif 000057
【図１３】
2015045297.tif 000058
【図１４】
2015045297.tif 000059
【図１５】
2015045297.tif 000060
【図１６】
2015045297.tif 000061
【図１７】
2015045297.tif 000062
【図１８】
2015045297.tif 000063
【図１９】
2015045297.tif 000064
【図２０】
2015045297.tif 000065
【図２１】
2015045297.tif 000066
【図２２】
2015045297.tif 000067
【図２３】
2015045297.tif 000068
【図２４】
2015045297.tif 000069
【図２５】
2015045297.tif 000070
【図２６】
2015045297.tif 000071
【図２７】
2015045297.tif 000072
【図２８】
2015045297.tif 000073
【図２９】
2015045297.tif 000074
【図３０】
2015045297.tif 000075
【図３１】
2015045297.tif 000076
【図３２】
2015045297.tif 000077
【図３３】
2015045297.tif 000078
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とからなり、
広角端から望遠端への変倍に際して、隣接する各レンズ群同士の間隔が変化し、
以下の条件（１）を満足する、ズームレンズ系：
３．５＜｜ｆ６／ｆ２｜＜１５．５  ・・・（１）
ここで、
ｆ２：第２レンズ群の焦点距離、
ｆ６：第６レンズ群の焦点距離
であり、
開口絞りが、前記第２レンズ群と前記第３レンズ群との間に配置されており、撮像時の広角端から望遠端へのズーミングの際に各レンズ群と独立して光軸に沿って移動し、
以下の条件（２）を満足する、ズームレンズ系：
０．５＜ｄｓＷ/ｆＷ＜１．２  ・・・（２）
ここで、
ｄｓＷ：広角端における開口絞りと第３レンズ群の最物体側との間の光軸上の距離、
ｆＷ：広角端における無限遠合焦状態でのズームレンズ系の焦点距離
である。
【請求項２】
前記第３レンズ群が、物体側から像側へと順に、
正のパワーを有する３Ａ群と、
正のパワーを有する３Ｂ群と、
正のパワーを有する３Ｃ群とからなり、
前記３Ｂ群が、像のぶれを光学的に補正するために光軸に対して垂直方向に移動する像ぶれ補正レンズ群であり、
以下の条件（３）を満足する、請求項１に記載のズームレンズ系：
０．５＜ｆ３Ｃ／ｆ３Ｂ＜６．０  ・・・（３）
ここで、
ｆ３Ｃ：３Ｃ群の焦点距離、
ｆ３Ｂ：３Ｂ群の焦点距離
である。
【請求項３】
前記第４レンズ群が、無限遠合焦状態から近接物体合焦状態へのフォーカシングの際に光軸に沿って像側へ移動するフォーカシングレンズ群であり、
以下の条件（４）を満足する、請求項１に記載のズームレンズ系：
１．０＜β４Ｗ＜２．５  ・・・（４）
ここで、
β４Ｗ：広角端における無限遠合焦状態での第４レンズ群の近軸倍率
である。
【請求項４】
撮像時の広角端から望遠端へのズーミングの際に、前記第２レンズ群が、像側に凸の軌跡を描いて像面に対して移動し、
以下の条件（５）を満足する、請求項１に記載のズームレンズ系：
０．１５＜（ＴｓＷ−ＴｓＭ）/ｆＷ＜１．３０  ・・・（５）
ここで、
ＴｓＷ：広角端における第２レンズ群の最物体側から像面までの光軸上の距離、
ＴｓＭ：中間位置における第２レンズ群の最物体側から像面までの光軸上の距離、
ｆＷ：広角端における無限遠合焦状態でのズームレンズ系の焦点距離
であり、中間位置は、ズームレンズ系が、次式：
【数４】
2015045297.tif 000079
（ここで、
ｆＭ：中間位置における無限遠合焦状態でのズームレンズ系の焦点距離、
ｆＷ：広角端における無限遠合焦状態でのズームレンズ系の焦点距離、
ｆＴ：望遠端における無限遠合焦状態でのズームレンズ系の焦点距離
である）
で規定される焦点距離を有する位置である。
【請求項５】
撮像時の広角端から望遠端へのズーミングの際に、前記第６レンズ群が像面に対して固定されている、請求項１に記載のズームレンズ系。
【請求項６】
前記第５レンズ群が、物体側から像側へと順に、負のパワーを有するレンズ素子と正のパワーを有するレンズ素子とからなる、請求項１に記載のズームレンズ系。
【請求項７】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項８】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体とを備える、カメラシステム。
【手続補正２】
【補正対象書類名】明細書
【補正対象項目名】０００８
【補正方法】変更
【補正の内容】
【０００８】
本開示におけるズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とからなり、
広角端から望遠端への変倍に際して、隣接する各レンズ群同士の間隔が変化し、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足し、
開口絞りが、前記第２レンズ群と前記第３レンズ群との間に配置されており、撮像時の広角端から望遠端へのズーミングの際に各レンズ群と独立して光軸に沿って移動し、
以下の条件（２）：
０．５＜ｄｓＷ/ｆＷ＜１．２  ・・・（２）
（ここで、
ｄｓＷ：広角端における開口絞りと第３レンズ群の最物体側との間の光軸上の距離、
ｆＷ：広角端における無限遠合焦状態でのズームレンズ系の焦点距離
である）
を満足する
ことを特徴とする。
【手続補正３】
【補正対象書類名】明細書
【補正対象項目名】０００９
【補正方法】変更
【補正の内容】
【０００９】
本開示における交換レンズ装置は、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とからなり、
広角端から望遠端への変倍に際して、隣接する各レンズ群同士の間隔が変化し、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足し、
開口絞りが、前記第２レンズ群と前記第３レンズ群との間に配置されており、撮像時の広角端から望遠端へのズーミングの際に各レンズ群と独立して光軸に沿って移動し、
以下の条件（２）：
０．５＜ｄｓＷ/ｆＷ＜１．２  ・・・（２）
（ここで、
ｄｓＷ：広角端における開口絞りと第３レンズ群の最物体側との間の光軸上の距離、
ｆＷ：広角端における無限遠合焦状態でのズームレンズ系の焦点距離
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【手続補正４】
【補正対象書類名】明細書
【補正対象項目名】００１０
【補正方法】変更
【補正の内容】
【００１０】
本開示におけるカメラシステムは、
物体側から像側へと順に、
正のパワーを有する第１レンズ群と、
負のパワーを有する第２レンズ群と、
正のパワーを有する第３レンズ群と、
負のパワーを有する第４レンズ群と、
負のパワーを有する第５レンズ群と、
正のパワーを有する第６レンズ群とからなり、
広角端から望遠端への変倍に際して、隣接する各レンズ群同士の間隔が変化し、
以下の条件（１）：
３．５＜｜ｆ６／ｆ２｜＜１５．５  ・・・（１）
（ここで、
ｆ２：第２レンズ群の焦点距離、
ｆ６：第６レンズ群の焦点距離
である）
を満足し、
開口絞りが、前記第２レンズ群と前記第３レンズ群との間に配置されており、撮像時の広角端から望遠端へのズーミングの際に各レンズ群と独立して光軸に沿って移動し、
以下の条件（２）：
０．５＜ｄｓＷ/ｆＷ＜１．２  ・・・（２）
（ここで、
ｄｓＷ：広角端における開口絞りと第３レンズ群の最物体側との間の光軸上の距離、
ｆＷ：広角端における無限遠合焦状態でのズームレンズ系の焦点距離
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体とを備える
ことを特徴とする。
【国際調査報告】
2015045297.tif 000080
2015045297.tif 000081
2015045297.tif 000082
2015045297.tif 000083